(57)【要約】  本発明は、トリフルオロエチレン；ペンタフルオロエタン；及びジフルオロメタン、１，１，１−トリフルオロプロペン、トリフルオロエタン、１，１，１，２−テトラフルオロエタン、モノフルオロエタン、１，１，１，４，４，４−ヘキサフルオロブタ−２−エン、３，３，４，４，４−ペンタフルオロブタ−１−エン、２，４，４，４−テトラフルオロブタ−１−エン、１，１，１，３，３−ペンタフルオロプロパン、２，３，３，３−テトラフルオロプロペン、１，１，２，２−テトラフルオロエタン、１，１−ジフルオロエタン、１，１，１，３，３−ペンタフルオロブタン、ブタン、１，１，１，２，３，３，３−ヘプタフルオロプロパン、１−クロロトリフルオロプロペン、２−メチルブタン、ペンタン、プロパン、及びそれらの混合物によって構成される群から選択される少なくとも一種の化合物Ｃを含有する組成物に関する。本発明はまた冷蔵、空調及びヒートポンプにおけるそれらの使用に関する。【選択図】なし【特許請求の範囲】
【請求項１】
−  トリフルオロエチレン；
−  ペンタフルオロエタン；及び
−  ジフルオロメタン、１，１，１−トリフルオロプロペン、トリフルオロエタン、１，１，１，２−テトラフルオロエタン、モノフルオロエタン、１，１，１，４，４，４−ヘキサフルオロブタ−２−エン、３，３，４，４，４−ペンタフルオロブタ−１−エン、２，４，４，４−テトラフルオロブタ−１−エン、１，１，１，３，３−ペンタフルオロプロパン、２，３，３，３−テトラフルオロプロペン、１，１，２，２−テトラフルオロエタン、１，１−ジフルオロエタン、１，１，１，３，３−ペンタフルオロブタン、ブタン、１，１，１，２，３，３，３−ヘプタフルオロプロパン、１−クロロトリフルオロプロペン、２−メチルブタン、ペンタン、プロパン、及びそれらの混合物によって構成される群から選択される少なくとも一種の化合物Ｃ
を含有する組成物。
【請求項２】
−  トリフルオロエチレン（Ｒ１１２３）；
−  ペンタフルオロエタン（ＨＦＣ−１２５）；及び
−  １，１，１，２−テトラフルオロエタン、２，３，３，３−テトラフルオロプロペン、及びそれらの混合物によって構成される群から選択される少なくとも一種の化合物Ｃ
を含有する、請求項１に記載の組成物。
【請求項３】
トリフルオロエチレンの重量含有量が、５％以上、好ましくは１０％以上、好ましくは１５％以上、有利には２０％以上、例えば２５％以上、優先的には３０％以上である、請求項１又は２に記載の組成物。
【請求項４】
ペンタフルオロエタンの重量含有量が、１％以上、好ましくは５％以上、好ましくは１０％以上、有利には１５％以上、例えば２０％以上、優先的には３０％以上である、請求項１から３の何れか一項に記載の組成物。
【請求項５】
化合物Ｃの重量含有量が、５％以上、好ましくは１０％以上、好ましくは１５％以上、有利には２０％以上、例えば４０％以上、好ましくは５５％以上、優先的には６０％以上、有利には７０％以上、例えば８０％以上である、請求項１から４の何れか一項に記載の組成物。
【請求項６】
次の組成物：
−  重量で５％〜９５％、好ましくは１０％〜９０％のトリフルオロエチレン；
−  重量で５％〜９５％、好ましくは１０％〜９０％のペンタフルオロエタン；及び
−  重量で５％〜９５％、好ましくは１０％〜９０％の少なくとも一種の化合物Ｃ、
又は
−  重量で１０％〜８０％、好ましくは１０％〜７０％のトリフルオロエチレン；
−  重量で１０％〜８０％、好ましくは１０％〜７０％のペンタフルオロエタン；及び
−  重量で５％〜９５％、好ましくは５％〜７０％の少なくとも一種の化合物Ｃ、
又は
−  重量で１０％〜５５％のトリフルオロエチレン；
−  重量で１０％〜５５％のペンタフルオロエタン；及び
−  重量で１０％〜８０％の少なくとも一種の化合物Ｃ、
又は
−  重量で１０％〜５５％のトリフルオロエチレン；
−  重量で１０％〜５５％のペンタフルオロエタン；及び
−  重量で５％〜５５％の少なくとも一種の化合物Ｃ、
又は
−  重量で５％〜３５％のトリフルオロエチレン；
−  重量で１％〜１０％のペンタフルオロエタン；及び
−  重量で６０％〜９０％の少なくとも一種の化合物Ｃ
の一つから選択されることを特徴とする、請求項１から５の何れか一項に記載の組成物。
【請求項７】
化合物Ｃが１，１，１，２−テトラフルオロエタンであることを特徴とする、請求項１から６の何れか一項に記載の組成物。
【請求項８】
次の組成物：
−  重量で１０％〜５５％のトリフルオロエチレン；
−  重量で１０％〜５５％のペンタフルオロエタン；及び
−  重量で５％〜６０％の１，１，１，２−テトラフルオロエタン、
又は
−  重量で１０％〜３０％、好ましくは１０％〜２０％のトリフルオロエチレン；
−  重量で２０％〜５０％のペンタフルオロエタン；及び
−  重量で３０％〜６０％の１，１，１，２−テトラフルオロエタン、
又は
−  重量で２０％〜５５％、好ましくは２０％〜４５％のトリフルオロエチレン；
−  重量で２０％〜４５％のペンタフルオロエタン；及び
−  重量で３０％〜６０％の１，１，１，２−テトラフルオロエタン、
又は
−  重量で３０％〜５５％のトリフルオロエチレン；
−  重量で２０％〜５０％のペンタフルオロエタン；及び
−  重量で１０％〜５０％の１，１，１，２−テトラフルオロエタン、
又は
−  重量で４０％〜５５％のトリフルオロエチレン；
−  重量で３０％〜５５％のペンタフルオロエタン；及び
−  重量で５％〜３０％の１，１，１，２−テトラフルオロエタン
の一つから選択されることを特徴とする、請求項１から７の何れか一項に記載の組成物。
【請求項９】
化合物Ｃが２，３，３，３−テトラフルオロプロペンであることを特徴とする、請求項１から６の何れか一項に記載の組成物。
【請求項１０】
次の組成物：
−  重量で１％〜５０％のトリフルオロエチレン；
−  重量で１％〜２０％のペンタフルオロエタン；及び
−  重量で５０％〜９８％の２，３，３，３−テトラフルオロプロペン、
又は
−  重量で５％〜５０％のトリフルオロエチレン；
−  重量で１％〜１０％のペンタフルオロエタン；及び
−  重量で５０％〜９０％の２，３，３，３−テトラフルオロプロペン、
又は
−  重量で１０％〜４０％のトリフルオロエチレン；
−  重量で１％〜５％のペンタフルオロエタン；及び
−  重量で５５％〜８５％の２，３，３，３−テトラフルオロプロペン、
又は
−  重量で１５％〜３５％のトリフルオロエチレン；
−  重量で１％〜５％のペンタフルオロエタン；及び
−  重量で６０％〜８４％の２，３，３，３−テトラフルオロプロペン
の一つから選択されることを特徴とする、請求項９に記載の組成物。
【請求項１１】
−  トリフルオロエチレン；
−  ペンタフルオロエタン；
−  １，１，１，２−テトラフルオロエタン；及び
−  ２，３，３，３−テトラフルオロプロペン
を含有する、請求項１から６の何れか一項に記載の組成物。
【請求項１２】
次の組成物：
−  重量で５％〜６０％のトリフルオロエチレン；
−  重量で５％〜６０％のペンタフルオロエタン；
−  重量で１％〜５０％の１，１，１，２−テトラフルオロエタン；及び
−  重量で１％〜６０％の２，３，３，３−テトラフルオロプロペン、
又は
−  重量で５％〜６０％のトリフルオロエチレン；
−  重量で５％〜６０％のペンタフルオロエタン；
−  重量で５％〜５０％の１，１，１，２−テトラフルオロエタン；及び
−  重量で５％〜５０％の２，３，３，３−テトラフルオロプロペン、
又は
−  重量で５％〜５５％のトリフルオロエチレン；
−  重量で１０％〜５５％のペンタフルオロエタン；
−  重量で５％〜４０％の１，１，１，２−テトラフルオロエタン；及び
−  重量で５％〜４０％の２，３，３，３−テトラフルオロプロペン、
又は
−  重量で５％〜２５％のトリフルオロエチレン；
−  重量で１０％〜５５％のペンタフルオロエタン；
−  重量で１０％〜４０％の１，１，１，２−テトラフルオロエタン；及び
−  重量で１０％〜４０％の２，３，３，３−テトラフルオロプロペン、
又は
−  重量で３０％〜５５％のトリフルオロエチレン；
−  重量で２０％〜５５％のペンタフルオロエタン；
−  重量で５％〜２０％の１，１，１，２−テトラフルオロエタン；及び
−  重量で５％〜２０％の２，３，３，３−テトラフルオロプロペン
の一つから選択されることを特徴とする、請求項１１に記載の組成物。
【請求項１３】
２０００未満、好ましくは１５００未満、優先的には１０００未満、有利には５００未満、例えば１５０未満のＧＷＰを有することを特徴とする、請求項１から１２の何れか一項に記載の組成物。
【請求項１４】
請求項１から１３の何れか一項に記載の組成物の伝熱流体としての使用。
【請求項１５】
Ｒ４０４Ａ、Ｒ４５２Ａ、Ｒ４４９Ａ、Ｒ４４９Ｃ、Ｒ４４８Ａ、Ｒ２２、Ｒ１３４ａ、Ｒ１５２ａ、Ｒ４２２、Ｒ５０２、Ｒ４０７Ａ、Ｒ４０７Ｆ、Ｒ４０７Ｃ、Ｒ１２３４ｙｆ又はＲ１２３４ｚｅの代替品、好ましくはＲ４０４Ａの代替品としての、請求項１から１３の何れか一項に記載の組成物の使用。
【請求項１６】
請求項１から１３の何れか一項に記載の組成物と、特にナノ粒子、安定剤、界面活性剤、追跡剤、蛍光剤、付臭剤、潤滑剤で好ましくはポリオールエステル系のもの、及び可溶化剤から選択される少なくとも一種の添加剤とを含有する伝熱組成物。
【請求項１７】
請求項１から１３の何れか一項に記載の組成物又は請求項１６に記載の伝熱組成物の、特に冷蔵輸送、自動車空調又は自動車暖房の、蒸気圧縮回路を含む伝熱システムにおける使用。
【請求項１８】
特にヒートポンプによる暖房、空調、冷蔵、冷凍、熱機関のための移動式又は固定式設備から選択される、請求項１から１３の何れか一項に記載の組成物又は請求項１６に記載の伝熱組成物を含む蒸気圧縮回路を備えた伝熱設備。
【請求項１９】
伝熱流体を含む蒸気圧縮回路により流体又は物体を加熱し又は冷却する方法であって、伝熱流体の蒸発と伝熱流体の圧縮と伝熱流体の凝縮と伝熱流体の膨張とを逐次的に含み、伝熱流体が、請求項１から１３の何れか一項に記載の組成物である、方法。
【請求項２０】
−  冷却された流体又は物体の温度が−４０℃〜−１０℃、好ましくは−３５℃〜−２５℃、より特に好ましくは−３０℃〜−２０℃である、流体又は物体を冷却する方法；
−  冷却された流体又は物体の温度が−１５℃〜１５℃、好ましくは−１０℃〜１０℃、より好ましくは−５℃〜５℃である、流体又は物体を冷却する方法；及び
−  加熱された流体又は物体の温度が３０℃〜８０℃、好ましくは３５℃〜５５℃、より好ましくは４０℃〜５０℃である、流体又は物体を加熱する方法
から選択される、請求項１９に記載の方法。
【発明の詳細な説明】
【技術分野】
【０００１】
本発明は、トリフルオロエチレン系組成物と、特に冷蔵、空調及びヒートポンプにおける、伝熱流体としてのそれらの使用に関する。
【背景技術】
【０００２】
フルオロカーボン化合物をベースとする流体は、蒸気圧縮による伝熱システム、特に空調、ヒートポンプ、冷蔵又は冷凍装置において広く使用されている。これらの装置が共通に有する特徴は、それらが、低圧での流体の蒸発（そこでは流体が熱を吸収）；蒸発流体の高圧への圧縮；高圧の液体を生じる蒸発流体の凝縮（そこでは流体が熱を放出）；及びサイクルを完了させるための流体の膨張を含む熱力学サイクルに基づいていることである。
【０００３】
伝熱流体（純粋な化合物又は化合物の混合物でありうる）の選択は、一方では流体の熱力学的特性により、他方では更なる制約により決定づけられる。而して、特に重要な基準は、考慮下にある流体の環境への影響の基準である。特に、塩素化化合物（クロロフルオロカーボンとハイドロクロロフルオロカーボン）には、オゾン層を損傷するという欠点がある。従って、ハイドロフルオロカーボン、フルオロエーテル及びフルオロオレフィンなどの非塩素化化合物が今は一般的に好まれる。
【０００４】
現在使用されている伝熱流体は、ＨＦＣ−１３４ａ、Ｒ４０４Ａ（５２％のＨＦＣ−１４３ａ、４４％のＨＦＣ−１２５及び４％のＨＦＣ−１３４ａの三成分混合物）、Ｒ４５２Ａ（１１％のＨＦＣ−３２、５９％のＨＦＣ−１２５及び３０％のＨＦＯ−１２３４ｙｆの三成分混合物）、Ｒ４０７Ｃ（５２％のＨＦＣ−１３４ａ、２５％のＨＦＣ−１２５及び２３％のＨＦＣ−３２の三成分混合物）等々である。
【０００５】
しかしながら、次の利点の少なくとも一つを有する他の伝熱流体を開発する継続的な必要性がある：上記流体よりも低い地球温暖化係数（ＧＷＰ）、及び／又は同等の、好ましくは改善された性能品質、及び／又は蒸発器での小さな温度勾配、及び／又は圧縮機での低い出口温度、及び／又は不燃性又ほんの僅かな可燃性。
【発明の説明】
【０００６】
本発明は、
−  トリフルオロエチレン（Ｒ１１２３）；
−  ペンタフルオロエタン（ＨＦＣ−１２５）；及び
−  ジフルオロメタン（ＨＦＣ−３２）、１，１，１−トリフルオロプロペン（ＨＦＯ−１２４３ｚｆ）、トリフルオロエタン（ＨＦＣ−１４３ａ）、１，１，１，２−テトラフルオロエタン（ＨＦＣ−１３４ａ）、モノフルオロエタン（ＨＦＣ−１６１）、１，１，１，４，４，４−ヘキサフルオロブタ−２−エン（ＨＦＯ−１３３６ｍｍｚ，Ｅ又はＺ異性体）、１−クロロトリフルオロプロペン（ＨＦＯ−１２３３ｚｄ）、３，３，４，４，４−ペンタフルオロブタ−１−エン（ＨＦＯ−１３４５ｆｚ）、２，４，４，４−テトラフルオロブタ−１−エン（ＨＦＯ−１３５４ｍｆｙ）、１，１，１，３，３−ペンタフルオロプロパン（ＨＦＣ−２４５ｆａ）、２，３，３，３−テトラフルオロプロペン（ＨＦＯ−１２３４ｙｆ）、１，１，２，２−テトラフルオロエタン（ＨＦＣ−１３４）、１，１−ジフルオロエタン（ＨＦＣ−１５２ａ）、１，１，１，２，３，３，３−ヘプタフルオロプロパン（ＨＦＣ−２２７ｅａ）、１，１，１，３，３−ペンタフルオロブタン（ＨＦＣ−３６５ｍｆｃ）、ブタン（ＨＣ−６００）、２−メチルブタン（ＨＣ−６０１ａ）、ペンタン（ＨＣ−６０１）、プロパン、及びそれらの混合物によって構成される群から選択される少なくとも一種の化合物Ｃ
を含有する組成物に関する。
本発明によれば、上記組成物は化合物Ｃ又は化合物Ｃの混合物を含有しうる。
【０００７】
好ましくは、上記組成物は、
−  トリフルオロエチレン（Ｒ１１２３）；
−  ペンタフルオロエタン（ＨＦＣ−１２５）；及び
−  ジフルオロメタン（ＨＦＣ−３２）、１，１，１−トリフルオロプロペン（ＨＦＯ−１２４３ｚｆ）、トリフルオロエタン（ＨＦＣ−１４３ａ）、１，１，１，２−テトラフルオロエタン（ＨＦＣ−１３４ａ）、モノフルオロエタン（ＨＦＣ−１６１）、１，１，１，４，４，４−ヘキサフルオロブタ−２−エン（ＨＦＯ−１３３６ｍｍｚ、Ｅ又はＺ異性体）、３，３，４，４，４−ペンタフルオロブタ−１−エン（ＨＦＯ−１３４５ｆｚ）、２，４，４，４−テトラフルオロブタ−１−エン（ＨＦＯ−１３５４ｍｆｙ）、１，１，１，３，３−ペンタフルオロプロパン（ＨＦＣ−２４５ｆａ）、２，３，３，３−テトラフルオロプロペン（ＨＦＯ−１２３４ｙｆ）、１，１，２，２−テトラフルオロエタン（ＨＦＣ−１３４）、１，１−ジフルオロエタン（ＨＦＣ−１５２ａ）、１，１，１，３，３−ペンタフルオロブタン（ＨＦＣ−３６５ｍｆｃ）、ブタン（ＨＣ−６００）、２−メチルブタン（ＨＣ−６０１ａ）、ペンタン（ＨＣ−６０１）、プロパン、及びそれらの混合物によって構成される群から選択される少なくとも一種の化合物Ｃ
から本質的になり、特にこれらからなる。
【０００８】
不純物は、例えば１％未満、好ましくは０．５％未満、好ましくは０．１％未満、優先的には０．０５％未満、特に０．０１％未満の割合でそのような組成物中に存在しうる。これらの不純物は、組成物の性質に有意な影響を持たない。
【０００９】
一実施態様によれば、上記組成物は、
−  トリフルオロエチレン（Ｒ１１２３）；
−  ペンタフルオロエタン（ＨＦＣ−１２５）；及び
−  １，１，１，２−テトラフルオロエタン（ＨＦＣ−１３４ａ）、２，３，３，３−テトラフルオロプロペン（ＨＦＯ−１２３４ｙｆ）、１，１，２，２−テトラフルオロエタン（ＨＦＣ−１３４）、１，１−ジフルオロエタン（ＨＦＣ−１５２ａ）、及びそれらの混合物によって構成される群から選択される少なくとも一種の化合物Ｃ
を含有する（好ましくはこれらから本質的になり、優先的にはこれらからなる）。
【００１０】
好ましくは、上記組成物は、
−  トリフルオロエチレン（Ｒ１１２３）；
−  ペンタフルオロエタン（ＨＦＣ−１２５）；及び
−  １，１，１，２−テトラフルオロエタン（ＨＦＣ−１３４ａ）、２，３，３，３−テトラフルオロプロペン（ＨＦＯ−１２３４ｙｆ）、及びそれらの混合物によって構成される群から選択される少なくとも一種の化合物Ｃ
を含有する（好ましくはこれらから本質的になり、優先的にはこれらからなる）。
【００１１】
本発明に係る組成物中のトリフルオロエチレン（Ｒ１１２３）の重量含有量は、例えば、１％〜９９％、５％〜９５％、５％〜９０％、５％〜８５％、５％〜８０％、５％〜７５％、５％〜７０％、５％〜６５％、５％〜６０％、５％〜５５％、５％〜５０％、５％〜４５％、５％〜４０％、５％〜３５％、５％〜３０％、５％〜２５％、５％〜２０％、５％〜１５％、５％〜１０％、１０％〜９５％、１０％〜９０％、１０％〜８５％、１０％〜８０％、１０％〜７５％、１０％〜７０％、１０％〜６５％、１０％〜６０％、１０％〜５５％、１０％〜５０％、１０％〜４５％、１０％〜４０％、１０％〜３５％、１０％〜３０％、１０％〜２５％、１０％〜２０％、１０％〜１５％、１５％〜９５％、１５％〜９０％、１５％〜８５％、１５％〜８０％、１５％〜７５％、１５％〜７０％、１５％〜６５％、１５％〜６０％、１５％〜５５％、１５％〜５０％、１５％〜４５％、１５％〜４０％、１５％〜３５％、１５％〜３０％、１５％〜２５％、１５％〜２０％、２０％〜９５％、２０％〜９０％、２０％〜８５％、２０％〜８０％、２０％〜７５％、２０％〜７０％、２０％〜６５％、２０％〜６０％、２０％〜５５％、２０％〜５０％、２０％〜４５％、２０％〜４０％、２０％〜３５％、２０％〜３０％、２０％〜２５％、２５％〜９５％、２５％〜９０％、２５％〜８５％、２５％〜８０％、２５％〜７５％、２５％〜７０％、２５％〜６５％、２５％〜６０％、２５％〜５５％、２５％〜５０％、２５％〜４５％、２５％〜４０％、２５％〜３５％、２５％〜３０％、３０％〜９５％、３０％〜９０％、３０％〜８５％、３０％〜８０％、３０％〜７５％、３０％〜７０％、３０％〜６５％、３０％〜６０％、３０％〜５５％、３０％〜５０％、３０％〜４５％、３０％〜４０％、３０％〜３５％、３５％〜９５％、３５％〜９０％、３５％〜８５％、３５％〜８０％、３５％〜７５％、３５％〜７０％、３５％〜６５％、３５％〜６０％、３５％〜５５％、３５％〜５０％、３５％〜４５％、３５％〜４０％、４０％〜９５％、４０％〜９０％、４０％〜８５％、４０％〜８０％、４０％〜７５％、４０％〜７０％、４０％〜６５％、４０％〜６０％、４０％〜５５％、４０％〜５０％、４０％〜４５％、４５％〜９５％、４５％〜９０％、４５％〜８５％、４５％〜８０％、４５％〜７５％、４５％〜７０％、４５％〜６５％、４５％〜６０％、４５％〜５５％、４５％〜５０％、５０％〜９０％、５０％〜９０％、５０％〜８５％、５０％〜８０％、５０％〜７５％、５０％〜７０％、５０％〜６５％、５０％〜６０％、５０％〜５５％、５５％〜９５％、５５％〜９０％、５５％〜８５％、５５％〜８０％、５５％〜７５％、５５％〜７０％、５５％〜６５％、５５％〜６０％、６０％〜９５％、６０％〜９０％、６０％〜８５％、６０％〜８０％、６０％〜７５％、６０％〜７０％、６０％〜６５％、６５％〜９５％、６５％〜９０％、６５％〜８５％、６５％〜８０％、６５％〜７５％、６５％〜７０％、７０％〜９５％、７０％〜９０％、７０％〜８５％、７０％〜８０％、７０％〜７５％、７５％〜９５％、７５％〜９０％、７５％〜８５％、７５％〜８０％、８０％〜９５％、８０％〜９０％、８０％〜８５％、８５％〜９５％、又は８５％〜９０％でありうる。
【００１２】
好ましくは、組成物中のトリフルオロエチレン（Ｒ１１２３）の重量含有量は、５％〜７０％、優先的には５％〜６０％、有利には５％〜５５％である。
【００１３】
本発明によれば、重量パーセントは組成物の全重量に対して示される。
【００１４】
組成物中のトリフルオロエチレン（Ｒ１１２３）の重量含有量は、５％以上、好ましくは１０％以上、好ましくは１５％以上、有利には２０％以上、例えば２５％以上、優先的には３０％以上でありうる。
【００１５】
好ましくは、組成物中のトリフルオロエチレン（Ｒ１１２３）の重量含有量は、組成物の全重量に対する重量で、次の含有量：１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、又は６０％の一つから選択される。
【００１６】
組成物中のペンタフルオロエタン（ＨＦＣ−１２５）の重量含有量は、例えば、１％〜９９％、１％〜９５％、１％〜９０％、１％〜８５％、１％〜８０％、１％〜７５％、１％〜７０％、１％〜６５％、１％〜６０％、１％〜５５％、１％〜５０％、１％〜４５％、１％〜４０％、１％〜３５％、１％〜３０％、１％〜２５％、１％〜２０％、１％〜１５％、１％〜１０％、２％〜９５％、２％〜９０％、２％〜８５％、２％〜８０％、２％〜７５％、２％〜７０％、２％〜６５％、２％〜６０％、２％〜５５％、２％〜５０％、２％〜４５％、２％〜４０％、２％〜３５％、２％〜３０％、２％〜２５％、２％〜２０％、２％〜１５％、２％〜１０％、３％〜９５％、３％〜９０％、３％〜８５％、３％〜８０％、３％〜７５％、３％〜７０％、３％〜６５％、３％〜６０％、３％〜５５％、３％〜５０％、３％〜４５％、３％〜４０％、３％〜３５％、３％〜３０％、３％〜２５％、３％〜２０％、３％〜１５％、３％〜１０％、４％〜９５％、４％〜９０％、４％〜８５％、４％〜８０％、４％〜７５％、４％〜７０％、４％〜６５％、４％〜６０％、４％〜５５％、４％〜５０％、４％〜４５％、４％〜４０％、４％〜３５％、４％〜３０％、４％〜２５％、４％〜２０％、４％〜１５％、４％〜１０％、５％〜９５％、５％〜９０％、５％〜８５％、５％〜８０％、５％〜７５％、５％〜７０％、５％〜６５％、５％〜６０％、５％〜５５％、５％〜５０％、５％〜４５％、５％〜４０％、５％〜３５％、５％〜３０％、５％〜２５％、５％〜２０％、５％〜１５％、５％〜１０％、１０％〜９５％、１０％〜９０％、１０％〜８５％、１０％〜８０％、１０％〜７５％、１０％〜７０％、１０％〜６５％、１０％〜６０％、１０％〜５５％、１０％〜５０％、１０％〜４５％、１０％〜４０％、１０％〜３５％、１０％〜３０％、１０％〜２５％、１０％〜２０％、１０％〜１５％、１５％〜９５％、１５％〜９０％、１５％〜８５％、１５％〜８０％、１５％〜７５％、１５％〜７０％、１５％〜６５％、１５％〜６０％、１５％〜５５％、１５％〜５０％、１５％〜４５％、１５％〜４０％、１５％〜３５％、１５％〜３０％、１５％〜２５％、１５％〜２０％、２０％〜９５％、２０％〜９０％、２０％〜８５％、２０％〜８０％、２０％〜７５％、２０％〜７０％、２０％〜６５％、２０％〜６０％、２０％〜５５％、２０％〜５０％、２０％〜４５％、２０％〜４０％、２０％〜３５％、２０％〜３０％、２０％〜２５％、２５％〜９５％、２５％〜９０％、２５％〜８５％、２５％〜８０％、２５％〜７５％、２５％〜７０％、２５％〜６５％、２５％〜６０％、２５％〜５５％、２５％〜５０％、２５％〜４５％、２５％〜４０％、２５％〜３５％、２５％〜３０％、３０％〜９５％、３０％〜９０％、３０％〜８５％、３０％〜８０％、３０％〜７５％、３０％〜７０％、３０％〜６５％、３０％〜６０％、３０％〜５５％、３０％〜５０％、３０％〜４５％、３０％〜４０％、３０％〜３５％、３５％〜９５％、３５％〜９０％、３５％〜８５％、３５％〜８０％、３５％〜７５％、３５％〜７０％、３５％〜６５％、３５％〜６０％、３５％〜５５％、３５％〜５０％、３５％〜４５％、３５％〜４０％、４０％〜９５％、４０％〜９０％、４０％〜８５％、４０％〜８０％、４０％〜７５％、４０％〜７０％、４０％〜６５％、４０％〜６０％、４０％〜５５％、４０％〜５０％、４０％〜４５％、４５％〜９５％、４５％〜９０％、４５％〜８５％、４５％〜８０％、４５％〜７５％、４５％〜７０％、４５％〜６５％、４５％〜６０％、４５％〜５５％、４５％〜５０％、５０％〜９０％、５０％〜９０％、５０％〜８５％、５０％〜８０％、５０％〜７５％、５０％〜７０％、５０％〜６５％、５０％〜６０％、５０％〜５５％、５５％〜９５％、５５％〜９０％、５５％〜８５％、５５％〜８０％、５５％〜７５％、５５％〜７０％、５５％〜６５％、５５％〜６０％、６０％〜９５％、６０％〜９０％、６０％〜８５％、６０％〜８０％、６０％〜７５％、６０％〜７０％、６０％〜６５％、６５％〜９５％、６５％〜９０％、６５％〜８５％、６５％〜８０％、６５％〜７５％、６５％〜７０％、７０％〜９５％、７０％〜９０％、７０％〜８５％、７０％〜８０％、７０％〜７５％、７５％〜９５％、７５％〜９０％、７５％〜８５％、７５％〜８０％、８０％〜９５％、８０％〜９０％、８０％〜８５％、８５％〜９５％、又は８５％〜９０％でありうる。
【００１７】
好ましくは、組成物中のペンタフルオロエタン（ＨＦＣ−１２５）の重量含有量は、１％〜７０％、優先的には１％〜６０％、有利には１％〜５５％、特に５％〜５５％である。
【００１８】
組成物中のペンタフルオロエタン（ＨＦＣ−１２５）の重量含有量は、１％以上、好ましくは５％以上、好ましくは１０％以上、有利には１５％以上、例えば２０％以上、優先的には３０％以上でありうる。
【００１９】
好ましくは、組成物中のペンタフルオロエタン（ＨＦＣ−１２５）の重量含有量は、組成物の全重量に対する重量で、次の含有量：１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、又は６０％の一つから選択される。
【００２０】
組成物中の化合物Ｃの重量含有量は、例えば、１％〜９９％、５％〜９５％、５％〜９０％、５％〜８５％、５％〜８０％、５％〜７５％、５％〜７０％、５％〜６５％、５％〜６０％、５％〜５５％、５％〜５０％、５％〜４５％、５％〜４０％、５％〜３５％、５％〜３０％、５％〜２５％、５％〜２０％、５％〜１５％、５％〜１０％、１０％〜９５％、１０％〜９０％、１０％〜８５％、１０％〜８０％、１０％〜７５％、１０％〜７０％、１０％〜６５％、１０％〜６０％、１０％〜５５％、１０％〜５０％、１０％〜４５％、１０％〜４０％、１０％〜３５％、１０％〜３０％、１０％〜２５％、１０％〜２０％、１０％〜１５％、１５％〜９５％、１５％〜９０％、１５％〜８５％、１５％〜８０％、１５％〜７５％、１５％〜７０％、１５％〜６５％、１５％〜６０％、１５％〜５５％、１５％〜５０％、１５％〜４５％、１５％〜４０％、１５％〜３５％、１５％〜３０％、１５％〜２５％、１５％〜２０％、２０％〜９５％、２０％〜９０％、２０％〜８５％、２０％〜８０％、２０％〜７５％、２０％〜７０％、２０％〜６５％、２０％〜６０％、２０％〜５５％、２０％〜５０％、２０％〜４５％、２０％〜４０％、２０％〜３５％、２０％〜３０％、２０％〜２５％、２５％〜９５％、２５％〜９０％、２５％〜８５％、２５％〜８０％、２５％〜７５％、２５％〜７０％、２５％〜６５％、２５％〜６０％、２５％〜５５％、２５％〜５０％、２５％〜４５％、２５％〜４０％、２５％〜３５％、２５％〜３０％、３０％〜９５％、３０％〜９０％、３０％〜８５％、３０％〜８０％、３０％〜７５％、３０％〜７０％、３０％〜６５％、３０％〜６０％、３０％〜５５％、３０％〜５０％、３０％〜４５％、３０％〜４０％、３０％〜３５％、３５％〜９５％、３５％〜９０％、３５％〜８５％、３５％〜８０％、３５％〜７５％、３５％〜７０％、３５％〜６５％、３５％〜６０％、３５％〜５５％、３５％〜５０％、３５％〜４５％、３５％〜４０％、４０％〜９５％、４０％〜９０％、４０％〜８５％、４０％〜８０％、４０％〜７５％、４０％〜７０％、４０％〜６５％、４０％〜６０％、４０％〜５５％、４０％〜５０％、４０％〜４５％、４５％〜９５％、４５％〜９０％、４５％〜８５％、４５％〜８０％、４５％〜７５％、４５％〜７０％、４５％〜６５％、４５％〜６０％、４５％〜５５％、４５％〜５０％、５０％〜９０％、５０％〜９０％、５０％〜８５％、５０％〜８０％、５０％〜７５％、５０％〜７０％、５０％〜６５％、５０％〜６０％、５０％〜５５％、５５％〜９５％、５５％〜９０％、５５％〜８５％、５５％〜８０％、５５％〜７５％、５５％〜７０％、５５％〜６５％、５５％〜６０％、６０％〜９５％、６０％〜９０％、６０％〜８５％、６０％〜８０％、６０％〜７５％、６０％〜７０％、６０％〜６５％、６５％〜９５％、６５％〜９０％、６５％〜８５％、６５％〜８０％、６５％〜７５％、６５％〜７０％、７０％〜９５％、７０％〜９０％、７０％〜８５％、７０％〜８０％、７０％〜７５％、７５％〜９５％、７５％〜９０％、７５％〜８５％、７５％〜８０％、８０％〜９５％、８０％〜９０％、８０％〜８５％、８５％〜９５％、又は８５％〜９０％でありうる。
【００２１】
好ましくは、組成物中の化合物Ｃの重量含有量は、５％〜７０％、優先的には５％〜６０％、有利には５％〜５５％である。
【００２２】
好ましくは、組成物中の化合物Ｃの重量含有量は、５％〜９０％、優先的には５％〜８５％、有利には６０％〜８５％、又は５％〜４０％である。
【００２３】
一実施態様によれば、組成物中の化合物Ｃの重量含有量は、５％以上、好ましくは１０％以上、好ましくは１５％以上、有利には２０％以上、例えば２５％以上、優先的には３０％以上、特に４０％以上、更には例えば４５％以上である。それは、例えば、５０％以上、好ましくは５５％以上、優先的には６０％以上、有利には７０％以上、例えば８０％以上である。
【００２４】
好ましくは、組成物中の化合物Ｃの重量含有量は、組成物の全重量に対する重量で、次の含有量：１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、又は９０％の一つから選択される。
【００２５】
一実施態様によれば、上記組成物は、
−  重量で５％〜９５％、好ましくは重量で１０％〜９０％のトリフルオロエチレン（Ｒ１１２３）；
−  重量で５％〜９５％、好ましくは１０％〜９０％のペンタフルオロエタン（ＨＦＣ−１２５）；及び
−  重量で５％〜９５％、好ましくは１０％〜９０％の上で定義される少なくとも一種の化合物Ｃであって、好ましくは１，１，１，２−テトラフルオロエタン（ＨＦＣ−１３４ａ）、２，３，３，３−テトラフルオロプロペン（ＨＦＯ−１２３４ｙｆ）、及びそれらの混合物によって構成される群から選択される化合物Ｃ
を含有する（好ましくはこれらから本質的になり、優先的にはこれらからなる）。
【００２６】
好ましくは、上記組成物は、
−  重量で１０％〜８０％、好ましくは１０％〜７０％のトリフルオロエチレン（Ｒ１１２３）；
−  重量で１０％〜８０％、好ましくは１０％〜７０％のペンタフルオロエタン（ＨＦＣ−１２５）；及び
−  重量で５％〜９５％、好ましくは５％〜７０％の上で定義される少なくとも一種の化合物Ｃであって、好ましくは１，１，１，２−テトラフルオロエタン（ＨＦＣ−１３４ａ）、２，３，３，３−テトラフルオロプロペン（ＨＦＯ−１２３４ｙｆ）、及びそれらの混合物によって構成される群から選択される化合物Ｃ
を含有する（好ましくはこれらから本質的になり、優先的にはこれらからなる）。
【００２７】
好ましくは、上記組成物は、
−  重量で１０％〜５５％のトリフルオロエチレン（Ｒ１１２３）；
−  重量で１０％〜５５％のペンタフルオロエタン（ＨＦＣ−１２５）；及び
−  重量で１０％〜８０％の上で定義される少なくとも一種の化合物Ｃであって、好ましくは１，１，１，２−テトラフルオロエタン（ＨＦＣ−１３４ａ）、２，３，３，３−テトラフルオロプロペン（ＨＦＯ−１２３４ｙｆ）、及びそれらの混合物によって構成される群から選択される化合物Ｃ
を含有する（好ましくはこれらから本質的になり、優先的にはこれらからなる）。
【００２８】
好ましくは、上記組成物は、
−  重量で１０％〜５５％のトリフルオロエチレン（Ｒ１１２３）；
−  重量で１０％〜５５％のペンタフルオロエタン（ＨＦＣ−１２５）；及び
−  重量で５％〜５５％の上で定義される少なくとも一種の化合物Ｃであって、好ましくは１，１，１，２−テトラフルオロエタン（ＨＦＣ−１３４ａ）、２，３，３，３−テトラフルオロプロペン（ＨＦＯ−１２３４ｙｆ）、及びそれらの混合物によって構成される群から選択される化合物Ｃ
を含有する（好ましくはこれらから本質的になり、優先的にはこれらからなる）。
【００２９】
好ましくは、上記組成物は、
−  重量で５％〜３５％のトリフルオロエチレン（Ｒ１１２３）；
−  重量で１％〜１０％のペンタフルオロエタン（ＨＦＣ−１２５）；及び
−  重量で６０％〜９０％の上で定義される少なくとも一種の化合物Ｃであって、好ましくは１，１，１，２−テトラフルオロエタン（ＨＦＣ−１３４ａ）、２，３，３，３−テトラフルオロプロペン（ＨＦＯ−１２３４ｙｆ）、及びそれらの混合物によって構成される群から選択される化合物Ｃ
を含有する（好ましくはこれらから本質的になり、優先的にはこれらからなる）。
【００３０】
本発明に係る組成物は、任意の既知のプロセスによって、例えば異なる化合物を互いに単純混合することにより、調製することができる。
【００３１】
本発明に係る組成物は、有利には、２０００未満、好ましくは１５００以下、特に１０００以下、例えば５００以下、好ましくは２００以下、特に１５０以下のＧＷＰを有する。ＧＷＰは、気候変動に関する政府間パネル（ＩＰＣＣ）の第４報に与えられているインストラクションに従って計算できる。混合物のＧＷＰは、特に各成分のＧＷＰと質量濃度の関数として計算される。純粋な化合物のＧＷＰ値は、典型的には欧州Ｆガス指導書（２０１４年４月１６日の欧州議会及び理事会の規則（ＥＵ）第５１７／２０１４号）に記載されている。
【００３２】
本発明に係る組成物は、有利には、単独で又は潤滑剤などの添加剤と組み合わせて熱安定性である。
【００３３】
本発明に係る組成物は、有利には不燃であるか又はほんの僅かに可燃である。
【００３４】
本発明によれば、組成物は、有利には、２００ｇ／ｍ３を超える可燃下限を有する。
【００３５】
好ましくは、組成物は、有利には、２３０ｇ／ｍ３を超え、好ましくは２５０ｇ／ｍ３以上、特に２８０ｇ／ｍ３以上の可燃下限を有するＷＣＦＦ組成物をもたらす。
【００３６】
好ましい組成物と、対応するＷＣＦ及びＷＣＦＦは、１９０００ｋＪ／ｍ３未満の燃焼熱（ＨＯＣ）を有している。本発明による燃焼熱は、規格ＡＳＨＲＡＥ３４−２０１３に示されるように定義され決定される。
【００３７】
「可燃下限」は、規格ＡＳＴＭ Ｅ６８１−０４において特定された試験条件下で、組成物と空気の均一混合物を通して火炎を伝播することができる組成物の最小濃度として、規格ＡＳＨＲＡＥ３４−２０１３において定義されている。それは、例えば、ｋｇ／ｍ３又は％ｖｏｌで与えられうる。
【００３８】
「ＷＣＦ」（可燃性の最悪配合）組成物は、規格ＡＳＨＲＡＥ３４−２０１３において、火炎伝播速度が最も高い配合の組成物として定義されている。この組成物は、ある程度の許容範囲を有するノミナルな組成物（該ノミナルな組成物は本発明の文脈では、本発明に係る組成物に相当）に非常に近い。
【００３９】
「ＷＣＦＦ」（可燃性の最悪分留）組成物は、規格ＡＳＨＲＡＥ３４−２０１３において、火炎伝播速度が最も高い組成物として定義されている。この組成物は、同規格において明確に定義された方法に従って決定される。
【００４０】
本発明の文脈において、可燃性、火炎伝播速度、及びより可燃下限は、使用される機器に関する規格ＡＳＴＭ Ｅ６８１を指す規格ＡＳＨＲＡＥ３４−２０１３において与えられた試験に従って定義され決定される。
【００４１】
火炎伝播速度に関しては、規格ＡＳＨＲＡＥ３４−２０１３に記載されている試験方法は、Ｔ．Ｊａｂｂｏｕｒの論文（"Classification de l'inflammabilite des fluides frigorigenes basee sur la vitesse fondamentale de flamme" [Classification of the flammability of refrigerants based on the fundamental flame velocity] under the direction of Denis Clodic. Thesis, Paris, 2004）において開発されたものである。実験装置は、特に垂直ガラス管法（管数２、長さ１５０ｃｍ、直径４０ｃｍ）を使用する。２本の管を使用すると、二つの試験を同じ濃度で同時に実施できる。管には特にタングステン電極が備えられ；これら電極は、６．３５ｍｍ（１／４インチ）離れた各管の底部に配置され、１５ｋＶ及び３０ｍＡの発電機に接続されている。
【００４２】
試験される異なる組成物は、規格ＡＳＨＲＡＥ３４−２０１３において定義された基準に従って、それ自体不燃又は可燃であると記載される。
【００４３】
好ましい組成物は、有利には１０ｃｍ／秒未満、好ましくは８ｃｍ／秒以下、優先的には６ｃｍ／秒以下、有利には５ｃｍ／秒以下、非常に有利には、４ｃｍ／秒以下、３ｃｍ／秒以下、２ｃｍ／秒以下、１．５ｃｍ／秒以下の火炎伝播速度を有する。
【００４４】
好ましい組成物は、規格ＡＳＨＲＡＥ３４−２０１３に従って２Ｌとして有利に分類される。この規格に従うと、２Ｌ分類では１０ｃｍ／秒未満の火炎伝播速度を必要とする。
【００４５】
好ましい組成物は、有利には、良好なエネルギー性能品質と、低い又はゼロの可燃性と、低いＧＷＰ、好ましくは２００未満のＧＷＰの間の良好な妥協点を有する。
【００４６】
それらの低い燃焼性のために、好ましい組成物は、有利には、冷蔵及び空調において、また暖房のために伝熱流体として使用されるとき、より安全である。加えて、伝熱設備（冷蔵、空調、ヒートポンプ等々）は、有利には、それらの低い燃焼性のために、より高い負荷の本発明に係る組成物を含みうる。負荷限界に関しては、典型的には、２００８〜２００９年に公開された規格ＥＮ３７８が参照されうる。
【００４７】
［Ｒ１１２３／ＨＦＣ−１２５／ＨＦＣ−１３４ａ］
好ましい実施態様によれば、上で定義された化合物Ｃは、１，１，１，２−テトラフルオロエタン（ＨＦＣ−１３４ａ）である。
【００４８】
本発明に係る組成物は、
−  トリフルオロエチレン（Ｒ１１２３）；
−  ペンタフルオロエタン（ＨＦＣ−１２５）；及び
−  １，１，１，２−テトラフルオロエタン（ＨＦＣ−１３４ａ）
を含有しうる（好ましくは本質的にこれらからなり得、優先的にはこれらからなりうる）。
【００４９】
好ましくは、組成物中のトリフルオロエチレン（Ｒ１１２３）の重量含有量は、例えば、５％〜６０％、５％〜５５％、５％〜５０％、５％〜４５％、５％〜４０％、５％〜３５％、５％〜３０％、５％〜２５％、５％〜２０％、５％〜１５％、５％〜１０％、１０％〜６０％、１０％〜５５％、１０％〜５０％、１０％〜４５％、１０％〜４０％、１０％〜３５％、１０％〜３０％、１０％〜２５％、１０％〜２０％、１０％〜１５％、１５％〜６０％、１５％〜５５％、１５％〜５０％、１５％〜４５％、１５％〜４０％、１５％〜３５％、１５％〜３０％、１５％〜２５％、１５％〜２０％、２０％〜６０％、２０％〜５５％、２０％〜５０％、２０％〜４５％、２０％〜４０％、２０％〜３５％、２０％〜３０％、２０％〜２５％、２５％〜６０％、２５％〜５５％、２５％〜５０％、２５％〜４５％、２５％〜４０％、２５％〜３５％、２５％〜３０％、３０％〜６０％、３０％〜５５％、３０％〜５０％、３０％〜４５％、３０％〜４０％、３０％〜３５％、３５％〜６０％、３５％〜５５％、３５％〜５０％、３５％〜４５％、３５％〜４０％、４０％〜６０％、４０％〜５５％、４０％〜５０％、４０％〜４５％、４５％〜６０％、４５％〜５５％、４５％〜５０％、５０％〜６０％、５０％〜５５％、又は５５％〜６０％である。好ましくは、組成物中のトリフルオロエチレン（Ｒ１１２３）の重量含有量は、１０％〜７０％、優先的には１０％〜６０％、有利には１０％〜５５％である。
【００５０】
一実施態様によれば、組成物中のトリフルオロエチレン（Ｒ１１２３）の重量含有量は、５％以上、好ましくは１０％以上、好ましくは１５％以上、有利には２０％以上、例えば２５％以上、優先的には３０％以上である。
【００５１】
好ましくは、組成物中のトリフルオロエチレン（Ｒ１１２３）の重量含有量は、組成物の全重量に対する重量で、次の含有量：５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、又は６０％の一つから選択される。
【００５２】
組成物中のペンタフルオロエタン（ＨＦＣ−１２５）の重量含有量は、例えば、１０％〜６０％、１０％〜５５％、１０％〜５０％、１０％〜４５％、１０％〜４０％、１０％〜３５％、１０％〜３０％、１０％〜２５％、１０％〜２０％、１５％〜６０％、１５％〜５５％、１５％〜５０％、１５％〜４５％、１５％〜４０％、１５％〜３５％、１５％〜３０％、１５％〜２５％、１５％〜２０％、２０％〜６０％、２０％〜５５％、２０％〜５０％、２０％〜４５％、２０％〜４０％、２０％〜３５％、２０％〜３０％、２０％〜２５％、２５％〜６０％、２５％〜５５％、２５％〜５０％、２５％〜４５％、２５％〜４０％、２５％〜３５％、２５％〜３０％、３０％〜６０％、３０％〜５５％、３０％〜５０％、３０％〜４５％、３０％〜４０％、３０％〜３５％、３５％〜６０％、３５％〜５５％、３５％〜５０％、３５％〜４５％、３５％〜４０％、４０％〜６０％、４０％〜５５％、４０％〜５０％、４０％〜４５％、４５％〜６０％、４５％〜５５％、４５％〜５０％、５０％〜６０％、５０％〜５５％、又は５５％〜６０％でありうる。好ましくは、組成物中のペンタフルオロエタン（ＨＦＣ−１２５）の重量含有量は、１０％〜７０％、優先的には１０％〜６０％、有利には１０％〜５５％、特に２０％〜５５％である。
【００５３】
一実施態様によれば、組成物中のペンタフルオロエタン（ＨＦＣ−１２５）の重量含有量は、１０％以上、好ましくは１５％以上、好ましくは２０％以上、有利には２５％以上、例えば３０％以上、優先的には３５％以上である。
【００５４】
好ましくは、組成物中のペンタフルオロエタン（ＨＦＣ−１２５）の重量含有量は、組成物の全重量に対する重量で、次の含有量：１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、又は６０％の一つから選択される。
【００５５】
組成物中の１，１，１，２−テトラフルオロエタン（ＨＦＣ−１３４ａ）の重量含有量は、例えば、５％〜７０％、５％〜６５％、５％〜６０％、５％〜５５％、５％〜５０％、５％〜４５％、５％〜４０％、５％〜３５％、５％〜３０％、５％〜２５％、５％〜２０％、５％〜１５％、５％〜１０％、１０％〜７０％、１０％〜６５％、１０％〜６０％、１０％〜５５％、１０％〜５０％、１０％〜４５％、１０％〜４０％、１０％〜３５％、１０％〜３０％、１０％〜２５％、１０％〜２０％、１０％〜１５％、１５％〜７０％、１５％〜６５％、１５％〜６０％、１５％〜５５％、１５％〜５０％、１５％〜４５％、１５％〜４０％、１５％〜３５％、１５％〜３０％、１５％〜２５％、１５％〜２０％、２０％〜７０％、２０％〜６５％、２０％〜６０％、２０％〜５５％、２０％〜５０％、２０％〜４５％、２０％〜４０％、２０％〜３５％、２０％〜３０％、２０％〜２５％、２５％〜７０％、２５％〜６５％、２５％〜６０％、２５％〜５５％、２５％〜５０％、２５％〜４５％、２５％〜４０％、２５％〜３５％、２５％〜３０％、３０％〜７０％、３０％〜６５％、３０％〜６０％、３０％〜５５％、３０％〜５０％、３０％〜４５％、３０％〜４０％、３０％〜３５％、３５％〜７０％、３５％〜６５％、３５％〜６０％、３５％〜５５％、３５％〜５０％、３５％〜４５％、３５％〜４０％、４０％〜７０％、４０％〜６５％、４０％〜６０％、４０％〜５５％、４０％〜５０％、４０％〜４５％、４５％〜７０％、４５％〜６５％、４５％〜６０％、４５％〜５５％、４５％〜５０％、５０％〜７０％、５０％〜６５％、５０％〜６０％、５０％〜５５％、５５％〜７０％、５５％〜６５％、５５％〜６０％、６０％〜７０％、６０％〜６５％、又は６５％〜７０％でありうる。好ましくは、組成物中の１，１，１，２−テトラフルオロエタン（ＨＦＣ−１３４ａ）の重量含有量は、５％〜７０％、優先的には５％〜６０％、有利には５％〜５５％である。
【００５６】
一実施態様によれば、組成物中の１，１，１，２−テトラフルオロエタン（ＨＦＣ−１３４ａ）の重量含有量は、５％以上、好ましくは１０％以上、好ましくは１５％以上、有利には２０％以上、例えば２５％以上、優先的には３０％以上、特に４０％以上、又は更には例えば４５％以上である。
【００５７】
好ましくは、組成物中の１，１，１，２−テトラフルオロエタン（ＨＦＣ−１３４ａ）の重量含有量は、組成物の全重量に対する重量で、次の含有量：５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、又は６０％の一つから選択される。
【００５８】
好ましくは、上記組成物は、
−  重量で１０％〜５５％のトリフルオロエチレン（Ｒ１１２３）；
−  重量で１０％〜５５％のペンタフルオロエタン（ＨＦＣ−１２５）；及び
−  重量で５％〜６０％の１，１，１，２−テトラフルオロエタン（ＨＦＣ−１３４ａ）
を含有する（好ましくはこれらから本質的になり、優先的にはこれらからなる）。
【００５９】
好ましくは、上記組成物は、
−  重量で１０％〜３０％、好ましくは１０％〜２０％のトリフルオロエチレン（Ｒ１１２３）；
−  重量で２０％〜５０％のペンタフルオロエタン（ＨＦＣ−１２５）；及び
−  重量で３０％〜６０％の１，１，１，２−テトラフルオロエタン（ＨＦＣ−１３４ａ）
を含有する（好ましくはこれらから本質的になり、優先的にはこれらからなる）。
【００６０】
好ましくは、上記組成物は、
−  重量で２０％〜５５％、好ましくは２０％〜４５％のトリフルオロエチレン（Ｒ１１２３）；
−  重量で２０％〜４５％のペンタフルオロエタン（ＨＦＣ−１２５）；及び
−  重量で３０％〜６０％の１，１，１，２−テトラフルオロエタン（ＨＦＣ−１３４ａ）
を含有する（好ましくはこれらから本質的になり、優先的にはこれらからなる）。
【００６１】
好ましくは、上記組成物は、
−  重量で３０％〜５５％のトリフルオロエチレン（Ｒ１１２３）；
−  重量で２０％〜５０％のペンタフルオロエタン（ＨＦＣ−１２５）；及び
−  重量で１０％〜５０％の１，１，１，２−テトラフルオロエタン（ＨＦＣ−１３４ａ）
を含有する（好ましくはこれらから本質的になり、優先的にはこれらからなる）。
【００６２】
好ましくは、上記組成物は、
−  重量で４０％〜５５％のトリフルオロエチレン（Ｒ１１２３）；
−  重量で３０％〜５５％のペンタフルオロエタン（ＨＦＣ−１２５）；及び
−  重量で５％〜３０％の１，１，１，２−テトラフルオロエタン（ＨＦＣ−１３４ａ）
を含有する（好ましくはこれらから本質的になり、優先的にはこれらからなる）。
【００６３】
一実施態様によれば、上記組成物は、２０００未満、好ましくは１５００以下、特に１０００以下のＧＷＰを有する。
【００６４】
上記組成物は、有利には不燃であるか、又はほんの僅かに可燃である。
【００６５】
組成物は、有利には、良好なエネルギー性能品質、低い又はゼロの可燃性及び低いＧＷＰ、好ましくは２０００未満のＧＷＰの間の良好な妥協点を有する。
【００６６】
［Ｒ１１２３／ＨＦＣ−１２５／ＨＦＯ−１２３４ｙｆ］
好ましい実施態様によれば、上で定義された化合物Ｃは、２，３，３，３−テトラフルオロプロペン（ＨＦＯ−１２３４ｙｆ）である。
【００６７】
本発明に係る組成物は、
−  トリフルオロエチレン（Ｒ１１２３）；
−  ペンタフルオロエタン（ＨＦＣ−１２５）；及び
−  ２，３，３，３−テトラフルオロプロペン（ＨＦＯ−１２３４ｙｆ）
を含有しうる（好ましくはこれらから本質的になり得、優先的にはこれらからなりうる）。
【００６８】
組成物中のトリフルオロエチレン（Ｒ１１２３）の重量含有量は、例えば、１０％〜５０％、１０％〜４５％、１０％〜４０％、１０％〜３５％、１０％〜３０％、１０％でありうる。及び２５％、１０％〜２０％、１０％〜１５％、１５％〜５０％、１５％〜４５％、１５％〜４０％、１５％〜３５％、１５％〜３０％、１５％〜２５％、１５％〜２０％、２０％〜５０％、２０％〜４５％、２０％〜４０％、２０％〜３５％、２０％〜３０％、２０％〜２５％、２５％〜５０％、２５％〜４５％、２５％〜４０％、２５％〜３５％、２５％〜３０％、３０％〜５０％、３０％〜４５％、３０％〜４０％、３０％〜３５％、３５％〜５０％、３５％〜４５％、３５％〜４０％、４０％〜５０％、４０％〜４５％、又は４５％〜５０％でありうる。好ましくは、組成物中のトリフルオロエチレン（Ｒ１１２３）の重量含有量は、１０％〜７０％、優先的には１０％〜６０％、有利には１０％〜５５％、例えば１０％〜４０％又は１５％〜３５％である。
【００６９】
一実施態様によれば、組成物中のトリフルオロエチレン（Ｒ１１２３）の重量含有量は、５％以上、好ましくは１０％以上、好ましくは１５％以上、有利には２０％以上、例えば２５％以上、優先的には３０％以上である。
【００７０】
好ましくは、組成物中のトリフルオロエチレン（Ｒ１１２３）の重量含有量は、組成物の全重量に対する重量で、次の含有量：１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、又は５０％の一つから選択される。
【００７１】
組成物中のペンタフルオロエタン（ＨＦＣ−１２５）の重量含有量は、例えば、１％〜２０％、１％〜１５％、１％〜１０％、１％〜５％、２％〜２０％、２％〜１５％、２％〜１０％、２％〜５％、３％〜２０％、３％〜１５％、３％〜１０％、３％〜５％、４％〜２０％、４％〜１５％、４％〜１０％、４％〜５％、５％〜２０％、５％〜１５％、又は５％〜１０％でありうる。
【００７２】
好ましくは、組成物中のペンタフルオロエタン（ＨＦＣ−１２５）の重量含有量は、１％〜１５％、優先的には１％〜１０％、有利には１％〜５％、特に１％〜４％である。
【００７３】
一実施態様によれば、組成物中のペンタフルオロエタン（ＨＦＣ−１２５）の重量含有量は、１％以上、好ましくは１０％以下、好ましくは８％以下、有利には７％以下、例えば、５％以下である。
【００７４】
好ましくは、組成物中のペンタフルオロエタン（ＨＦＣ−１２５）の重量含有量は、組成物の全重量に対する重量で、次の含有量：１％、２％、３％、４％、５％、６％、７％、８％、９％、及び１０％の一つから選択される。
【００７５】
組成物中の２，３，３，３−テトラフルオロプロペン（ＨＦＯ−１２３４ｙｆ）の重量含有量は、例えば、５０％〜９９％、５５％〜９９％、６０％〜９９％、６５％〜９９％、７０％〜９９％、７５％〜９９％、８０％〜９９％、８５％〜９９％、９０％〜９９％、５０％〜９５％、５５％〜９５％、６０％〜９５％、６５％〜９５％、７０％〜９５％、７５％〜９５％、８０％〜９５％、８５％〜９５％、９０％〜９５％、５０％〜９０％、５５％〜９０％、６０％〜９０％、６５％〜９０％、７０％〜９０％、７５％〜９０％、８０％〜９０％、８５％〜９０％、５０％〜８５％、５５％〜８５％、６０％〜８５％、６５％〜８５％、７０％〜８５％、７５％〜８５％、８０％〜８５％、５０％〜８０％、５５％〜８０％、６０％〜８０％、６５％〜８０％、７０％〜８０％、７５％〜８０％、５０％〜７５％、５５％〜７５％、６０％〜７５％、６５％〜７５％、又は７０％〜７５％でありうる。好ましくは、組成物中の２，３，３，３−テトラフルオロプロペン（ＨＦＯ−１２３４ｙｆ）の重量含有量は、５０％〜９５％、好ましくは５０％〜９０％、有利には６０％〜９０％、例えば６０％〜８５％である。
【００７６】
一実施態様によれば、組成物中の２，３，３，３−テトラフルオロプロペン（ＨＦＯ−１２３４ｙｆ）の重量含有量は、５０％以上、好ましくは６０％以上、好ましくは６５％以上、有利には７０％以上、例えば７５％以上、優先的には８０％以上、特に８５％以上である。
【００７７】
好ましくは、組成物中の２，３，３，３−テトラフルオロプロペン（ＨＦＯ−１２３４ｙｆ）の重量含有量は、組成物の全重量に対する重量で、次の含有量：５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、７９％、８０％、８１％、８２％、８３％、８４％、８５％、８６％、８７％、８８％、８９％、９０％、９１％、９２％、９３％、９４％、９５％、９６％、９７％、９８％、又は９９％の一つから選択される。
【００７８】
一実施態様によれば、上記組成物は、
−  重量で１％〜５０％のトリフルオロエチレン（Ｒ１１２３）；
−  重量で１％〜２０％のペンタフルオロエタン（ＨＦＣ−１２５）；及び
−  重量で５０％〜９８％の２，３，３，３−テトラフルオロプロペン（ＨＦＯ−１２３４ｙｆ）
を含有する（好ましくはこれらから本質的になり、優先的にはこれらからなる）。
【００７９】
好ましくは、上記組成物は、
−  重量で５％〜５０％のトリフルオロエチレン（Ｒ１１２３）；
−  重量で１％〜１０％のペンタフルオロエタン（ＨＦＣ−１２５）；及び
−  重量で５０％〜９０％の２，３，３，３−テトラフルオロプロペン（ＨＦＯ−１２３４ｙｆ）
を含有する（好ましくはこれらから本質的になり、優先的にはこれらからなる）。
【００８０】
好ましくは、上記組成物は、
−  重量で１０％〜４０％のトリフルオロエチレン（Ｒ１１２３）；
−  重量で１％〜５％のペンタフルオロエタン（ＨＦＣ−１２５）；及び
−  重量で５５％〜８５％の２，３，３，３−テトラフルオロプロペン（ＨＦＯ−１２３４ｙｆ）
を含有する（好ましくはこれらから本質的になり、優先的にはこれらからなる）。
【００８１】
好ましくは、上記組成物は、
−  重量で１５％〜３５％のトリフルオロエチレン（Ｒ１１２３）；
−  重量で１％〜５％のペンタフルオロエタン（ＨＦＣ−１２５）；及び
−  重量で６０％〜８４％の２，３，３，３−テトラフルオロプロペン（ＨＦＯ−１２３４ｙｆ）
を含有する（好ましくはこれらから本質的になり、優先的にはこれらからなる）。
【００８２】
好ましい上記組成物は、２００未満、好ましくは１５０以下のＧＷＰを有する。
【００８３】
上記組成物は、有利には不燃であるか又はほんの僅かに可燃である。
【００８４】
本組成物は、有利には、２００ｇ／ｍ３を超える可燃下限を有する。
【００８５】
上記組成物は、有利には、２３０ｇ／ｍ３以上、好ましくは２５０ｇ／ｍ３以上、特に２８０ｇ／ｍ３以上の可燃下限を有するＷＣＦＦ組成物をもたらす。
【００８６】
好ましい組成物と、対応するＷＣＦ及びＷＣＦＦは、１９０００ｋＪ／ｍ３未満の燃焼熱（ＨＯＣ）を有している。本発明による燃焼熱は、規格ＡＳＨＲＡＥ３４−２０１３に示されるように定義され、決定される。
【００８７】
本組成物は、有利には、１０ｃｍ／秒未満、好ましくは８ｃｍ／秒以下、優先的には６ｃｍ／秒以下、有利には５ｃｍ／秒以下、非常に有利には４ｃｍ／秒以下、３ｃｍ／秒以下、２ｃｍ／秒以下、１．５ｃｍ／秒以下の火炎伝播速度を有する。
【００８８】
好ましい組成物は、有利には、規格ＡＳＨＲＡＥ３４−２０１３に従って２Ｌとして分類される。この規格に従うと、２Ｌ分類では１０ｃｍ／秒未満の火炎伝播速度が必要とされる。
【００８９】
組成物は、有利には、良好なエネルギー性能品質、低又はゼロの可燃性及び低ＧＷＰ、好ましくは２００未満のＧＷＰの間の良好な妥協点を有する。
【００９０】
［Ｒ１１２３／ＨＦＣ−１２５／ＨＦＣ−１３４ａ／ＨＦＯ−１２３４ｙｆ］
好ましい実施態様によれば、本発明に係る組成物は、２つの化合物：１，１，１，２−テトラフルオロエタン（ＨＦＣ−１３４ａ）及び２，３，３，３−テトラフルオロプロペン（ＨＦＯ−１２３４ｙｆ）を含有する。
【００９１】
本発明に係る組成物は、
−  トリフルオロエチレン（Ｒ１１２３）；
−  ペンタフルオロエタン（ＨＦＣ−１２５）；
−  １，１，１，２−テトラフルオロエタン（ＨＦＣ−１３４ａ）；及び
−  ２，３，３，３−テトラフルオロプロペン（ＨＦＯ−１２３４ｙｆ）
を含有しうる（好ましくはこれらから本質的になり得、優先的にはこれらからなりうる）。
【００９２】
組成物中のトリフルオロエチレン（Ｒ１１２３）の重量含有量は、例えば、５％〜６０％、５％〜５５％、５％〜５０％、５％〜４５％、５％〜４０％、５％〜３５％、５％〜３０％、５％〜２５％、５％〜２０％、５％〜１５％、５％〜１０％、１０％〜６０％、１０％〜５５％、１０％〜５０％、１０％〜４５％、１０％〜４０％、１０％〜３５％、１０％〜３０％、１０％〜２５％、１０％〜２０％、１０％〜１５％、１５％〜６０％、１５％〜５５％、１５％〜５０％、１５％〜４５％、１５％〜４０％、１５％〜３５％、１５％〜３０％、１５％〜２５％、１５％〜２０％、２０％〜６０％、２０％〜５５％、２０％〜５０％、２０％〜４５％、２０％〜４０％、２０％〜３５％、２０％〜３０％、２０％〜２５％、２５％〜６０％、２５％〜５５％、２５％〜５０％、２５％〜４５％、２５％〜４０％、２５％〜３５％、２５％〜３０％、３０％〜６０％、３０％〜５５％、３０％〜５０％、３０％〜４５％、３０％〜４０％、３０％〜３５％、３５％〜６０％、３５％〜５５％、３５％〜５０％、３５％〜４５％、３５％〜４０％、４０％〜６０％、４０％〜５５％、４０％〜５０％、４０％〜４５％、４５％〜６０％、４５％〜５５％、４５％〜５０％、５０％〜６０％、５０％〜５５％、又は５５％〜６０％でありうる。好ましくは、組成物中のトリフルオロエチレン（Ｒ１１２３）の重量含有量は、５％〜７０％、優先的には５％〜６０％、有利には５％〜５５％である。
【００９３】
一実施態様によれば、組成物中のトリフルオロエチレン（Ｒ１１２３）の重量含有量は、５％以上、好ましくは１０％以上、好ましくは１５％以上、有利には２０％以上、例えば２５％以上、優先的には３０％以上である。
【００９４】
好ましくは、組成物中のトリフルオロエチレン（Ｒ１１２３）の重量含有量は、組成物の全重量に対する重量で、次の含有量：５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、又は６０％の一つから選択される。
【００９５】
組成物中のペンタフルオロエタン（ＨＦＣ−１２５）の重量含有量は、例えば、５％〜６０％、５％〜５５％、５％〜５０％、５％〜４５％、５％〜４０％、５％〜３５％、５％〜３０％、５％〜２５％、５％〜２０％、１０％〜６０％、１０％〜５５％、１０％〜５０％、１０％〜４５％、１０％〜４０％、１０％〜３５％、１０％〜３０％、１０％〜２５％、１０％〜２０％、１５％〜６０％、１５％〜５５％、１５％〜５０％、１５％〜４５％、１５％〜４０％、１５％〜３５％、１５％〜３０％、１５％〜２５％、１５％〜２０％、２０％〜６０％、２０％〜５５％、２０％〜５０％、２０％〜４５％、２０％〜４０％、２０％〜３５％、２０％〜３０％、２０％〜２５％、２５％〜６０％、２５％〜５５％、２５％〜５０％、２５％〜４５％、２５％〜４０％、２５％〜３５％、２５％〜３０％、３０％〜６０％、３０％〜５５％、３０％〜５０％、３０％〜４５％、３０％〜４０  ％、３０％〜３５％、３５％〜６０％、３５％〜５５％、３５％〜５０％、３５％〜４５％、３５％〜４０％、４０％〜６０％、４０％〜５５％、４０％〜５０％、４０％〜４５％、４５％〜６０％、４５％〜５５％、４５％〜５０％、５０％〜６０％、５０％〜５５％、又は５５％〜６０％でありうる。好ましくは、組成物中のペンタフルオロエタン（ＨＦＣ−１２５）の重量含有量は、１０％〜７０％、優先的には１０％〜６０％、有利には１０％〜５５％、特に２０％〜５５％である。
【００９６】
一実施態様によれば、組成物中のペンタフルオロエタン（ＨＦＣ−１２５）の重量含有量は、５％以上、好ましくは１０％以上、好ましくは１５％以上、有利には２０％以上、例えば２５％以上、優先的には３０％以上である。
【００９７】
好ましくは、組成物中のペンタフルオロエタン（ＨＦＣ−１２５）の重量含有量は、組成物の全重量に対する重量で、次の含有量：５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、又は６０％の一つから選択される。
【００９８】
組成物中の１，１，１，２−テトラフルオロエタン（ＨＦＣ−１３４ａ）の重量含有量は、例えば、１％〜５０％、１％〜４５％、１％〜４０％、１％〜３５％、１％〜３０％、１％〜２５％、１％〜２０％、１％〜１５％、１％〜１０％、１％〜５％、２％〜５０％、２％〜４５％、２％〜４０％、２％〜３５％、２％〜３０％、２％〜２５％、２％〜２０％、２％〜１５％、２％〜１０％、２％〜５％、３％〜５０％、３％〜４５％、３％〜４０％、３％〜３５％、３％〜３０％、３％〜２５％、３％〜２０％、３％〜１５％、３％〜１０％、３％〜５％、４％〜５０％、４％〜４５％、４％〜４０％、４％〜３５％、４％〜３０％、４％〜２５％、４％〜２０％、４％〜１５％、４％〜１０％、４％〜５％、５％〜５０％、５％〜４５％、５％〜４０％、５％〜３５％、５％〜３０％、５％〜２５％、５％〜２０％、５％〜１５％、５％〜１０％、１０％〜５０％、１０％〜４５％、１０％〜４０％、１０％〜３５％、１０％〜３０％、１０％〜２５％、１０％〜２０％、１０％〜１５％、１５％〜５０％、１５％〜４５％、１５％〜４０％、１５％〜３５％、１５％〜３０％、１５％〜２５％、１５％〜２０％、２０％〜５０％、２０％〜４５％、２０％〜４０％、２０％〜３５％、２０％〜３０％、２０％〜２５％、２５％〜５０％、２５％〜４５％、２５％〜４０％、２５％〜３５％、２５％〜３０％、３０％〜５０％、３０％〜４５％、３０％〜４０％、３０％〜３５％、４０％〜５０％、又は４０％〜４５％でありうる。好ましくは、組成物中の１，１，１，２−テトラフルオロエタン（ＨＦＣ−１３４ａ）の重量含有量は、５％〜５０％、優先的には５％〜４５％、有利には５％〜４０％である。
【００９９】
一実施態様によれば、組成物中の１，１，１，２−テトラフルオロエタン（ＨＦＣ−１３４ａ）の重量含有量は、５％以上、好ましくは１０％以上、好ましくは１５％以上、有利には２０％以上、例えば２５％以上、優先的には３０％以上、特に４０％以上である。
【０１００】
好ましくは、組成物中の１，１，１，２−テトラフルオロエタン（ＨＦＣ−１３４ａ）の重量含有量は、組成物の全重量に対する重量で、次の含有量：１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、又は５０％の一つから選択される。
【０１０１】
組成物中の２，３，３，３−テトラフルオロプロペン（ＨＦＯ−１２３４ｙｆ）の重量含有量は、例えば、１％〜６０％、１％〜５０％、１％〜４５％、１％〜４０％、１％〜３５％、１％〜３０％、１％〜２５％、１％〜２０％、１％〜１５％、１％〜１０％、１％〜５％、２％〜５０％、２％〜４５％、２％〜４０％、２％〜３５％、２％〜３０％、２％〜２５％、２％〜２０％、２％〜１５％、２％〜１０％、２％〜５％、３％〜５０％、３％〜４５％、３％〜４０％、３％〜３５％、３％〜３０％、３％〜２５％、３％〜２０％、３％〜１５％、３％〜１０％、３％〜５％、４％〜５０％、４％〜４５％、４％〜４０％、４％〜３５％、４％〜３０％、４％〜２５％、４％〜２０％、４％〜１５％、４％〜１０％、４％〜５％、５％〜５０％、５％〜４５％、５％〜４０％、５％〜３５％、５％〜３０％、５％〜２５％、５％〜２０％、５％〜１５％、５％〜１０％、１０％〜５０％、１０％〜４５％、１０％〜４０％、１０％〜３５％、１０％〜３０％、１０％〜２５％、１０％〜２０％、１０％〜１５％、１５％〜５０％、１５％〜４５％、１５％〜４０％、１５％〜３５％、１５％〜３０％、１５％〜２５％、１５％〜２０％、２０％〜５０％、２０％〜４５％、２０％〜４０％、２０％〜３５％、２０％〜３０％、２０％〜２５％、２５％〜５０％、２５％〜４５％、２５％〜４０％、２５％〜３５％、２５％〜３０％、３０％〜５０％、３０％〜４５％、３０％〜４０％、３０％〜３５％、４０％〜５０％、又は４０％〜４５％でありうる。好ましくは、組成物中の２，３，３，３−テトラフルオロプロペン（ＨＦＯ−１２３４ｙｆ）の重量含有量は、５％〜５０％、優先的には５％〜４５％、有利には５％〜４０％である。
【０１０２】
一実施態様によれば、組成物中の２，３，３，３−テトラフルオロプロペン（ＨＦＯ−１２３４ｙｆ）の重量含有量は、５％以上、好ましくは１０％以上、好ましくは１５％以上、有利には２０％以上、例えば２５％以上、優先的には３０％以上、特に４０％以上である。
【０１０３】
好ましくは、組成物中の２，３，３，３−テトラフルオロプロペン（ＨＦＯ−１２３４ｙｆ）の重量含有量は、組成物の全重量に対する重量で、次の含有量：１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、又は６０％の一つから選択される。
【０１０４】
一実施態様によれば、上記組成物は、
−  重量で５％〜６０％のトリフルオロエチレン（Ｒ１１２３）；
−  重量で５％〜６０％のペンタフルオロエタン（ＨＦＣ−１２５）；及び
−  重量で１〜５０％の１，１，１，２−テトラフルオロエタン（ＨＦＣ−１３４ａ）；及び
−  重量で１％〜６０％の２，３，３，３−テトラフルオロプロペン（ＨＦＯ−１２３４ｙｆ）
を含有する（好ましくはこれらから本質的になり、優先的にはこれらからなる）。
【０１０５】
一実施態様によれば、上記組成物は、
−  重量で５％〜６０％のトリフルオロエチレン（Ｒ１１２３）；
−  重量で５％〜６０％のペンタフルオロエタン（ＨＦＣ−１２５）；
−  重量で５〜５０％の１，１，１，２−テトラフルオロエタン（ＨＦＣ−１３４ａ）；及び
−  重量で５％〜５０％の２，３，３，３−テトラフルオロプロペン（ＨＦＯ−１２３４ｙｆ）
を含有する（好ましくはこれらから本質的になり、優先的にはこれらからなる）。
【０１０６】
一実施態様によれば、上記組成物は、
−  重量で５％〜５５％のトリフルオロエチレン（Ｒ１１２３）；
−  重量で１０％〜５５％のペンタフルオロエタン（ＨＦＣ−１２５）；
−  重量で５〜４０％の１，１，１，２−テトラフルオロエタン（ＨＦＣ−１３４ａ）；及び
−  重量で５％〜４０％の２，３，３，３−テトラフルオロプロペン（ＨＦＯ−１２３４ｙｆ）
を含有する（好ましくはこれらから本質的になり、優先的にはこれらからなる）。
【０１０７】
一実施態様によれば、上記組成物は、
−  重量で５％〜２５％のトリフルオロエチレン（Ｒ１１２３）；
−  重量で１０％〜５５％のペンタフルオロエタン（ＨＦＣ−１２５）；
−  重量で１０〜４０％の１，１，１，２−テトラフルオロエタン（ＨＦＣ−１３４ａ）；及び
−  重量で１０％〜４０％の２，３，３，３−テトラフルオロプロペン（ＨＦＯ−１２３４ｙｆ）
を含有する（好ましくはこれらから本質的になり、優先的にはこれらからなる）。
【０１０８】
一実施態様によれば、上記組成物は、
−  重量で３０％〜５５％のトリフルオロエチレン（Ｒ１１２３）；
−  重量で２０％〜５５％のペンタフルオロエタン（ＨＦＣ−１２５）；
−  重量で５〜２０％の１，１，１，２−テトラフルオロエタン（ＨＦＣ−１３４ａ）；及び
−  重量で５％〜２０％の２，３，３，３−テトラフルオロプロペン（ＨＦＯ−１２３４ｙｆ）
を含有する（好ましくはこれらから本質的になり、優先的にはこれらからなる）。
【０１０９】
一実施態様によれば、上記組成物は、２０００未満、好ましくは１５００以下、特に１０００以下のＧＷＰを有する。
【０１１０】
上記組成物は、有利には不燃であるか、又はほんの僅かに可燃である。
【０１１１】
上記組成物は、有利には、良好なエネルギー性能品質、低又はゼロの可燃性及び低ＧＷＰ、好ましくは２０００未満のＧＷＰの間の良好な妥協点を有する。
【０１１２】
［伝熱組成物］
一実施態様によれば、上で定義された組成物は伝熱流体である。
【０１１３】
本発明は、上で定義された本発明に係る組成物と特にナノ粒子、安定剤、界面活性剤、追跡剤、蛍光剤、付臭剤、潤滑剤及び可溶化剤から選択される少なくとも一種の添加剤とを含有する（好ましくはそれらからなる）伝熱組成物にまた関する。好ましくは、添加剤は、潤滑剤、特にポリオールエステル系潤滑剤から選択される。
【０１１４】
「伝熱化合物」又はそれぞれ「伝熱流体」もしくは「冷媒」という用語は、蒸気圧縮回路において、低温低圧で蒸発することにより熱を吸収し、高温高圧で凝縮することにより熱を放出することができる化合物又はそれぞれ流体を指す。一般に、伝熱流体は、一種、二種、三種以上の伝熱化合物を含有しうる。
【０１１５】
「伝熱組成物」という用語は、伝熱流体と、場合によっては、想定される用途のための伝熱化合物ではない一又は複数の添加剤とを含有する組成物を指す。
【０１１６】
安定剤は、それらが存在する場合、伝熱組成物中に５質量％以下であることが好ましい。特に、安定剤の中で、ニトロメタン、アスコルビン酸、テレフタル酸、アゾール、例えばトルトリアゾール又はベンゾトリアゾール、フェノール化合物、例えばトコフェロール、ヒドロキノン、（ｔ−ブチル）ヒドロキノン又は２，６−ジ（ｔｅｒｔ−ブチル）−４−メチルフェノール、エポキシド（場合によってはフッ素化又は過フッ素化されたアルキル、又はアルケニル又は芳香族）、例えばｎ−ブチルグリシジルエーテル、ヘキサンジオールジグリシジルエーテル、アリルグリシジルエーテル又はブチルフェニルグリシジルエーテル、ホスファイト、ホスホネート、チオール及びラクトンを挙げることができる。
【０１１７】
特に、ナノ粒子として、チャコールナノ粒子、金属（銅、アルミニウム）酸化物、ＴｉＯ２、Ａｌ２Ｏ３、ＭｏＳ２等々を使用することができる。
【０１１８】
追跡剤（検出が可能な薬剤）として、重水素化又は非重水素化ハイドロフルオロカーボン、重水素化ハイドロカーボン、パーフルオロカーボン、フルオロエーテル、臭素化化合物、ヨウ素化化合物、アルコール、アルデヒド、ケトン、亜酸化窒素、及びこれらの組み合わせを挙げることができる。追跡剤は、伝熱化合物又は伝熱流体を構成する化合物とは異なる。
【０１１９】
可溶化剤として、ハイドロカーボン、ジメチルエーテル、ポリオキシアルキレンエーテル、アミド、ケトン、ニトリル、クロロカーボン、エステル、ラクトン、アリールエーテル、フルオロエーテル、及び１，１，１−トリフルオロアルカンを挙げることができる。可溶化剤は、伝熱化合物又は伝熱流体を構成する化合物とは異なる。
【０１２０】
蛍光剤として、ナフタルイミド、ペリレン、クマリン、アントラセン、フェナントラセン、キサンテン、チオキサンテン、ナフトキサンテン、フルオレセイン及びそれらの誘導体及び組み合わせを挙げることができる。
【０１２１】
付臭剤として、アクリル酸アルキル、アクリル酸アリル、アクリル酸、アクリルエステル、アルキルエーテル、アルキルエステル、アルキン、アルデヒド、チオール、チオエーテル、ジスルフィド、イソチオシアン酸アリル、アルカン酸、アミン、ノルボルネン、ノルボルネン誘導体、シクロヘキセン、芳香族複素環式化合物、アスカリドール、ｏ−メトキシ（メチル）フェノール及びこれらの組み合わせを挙げることができる。
【０１２２】
本発明の文脈において、「潤滑剤」及び「潤滑油」という用語は同等に使用される。
【０１２３】
潤滑剤として、特に、鉱物由来の油、シリコーン油、天然由来のパラフィン、ナフテン、合成パラフィン、アルキルベンゼン、ポリ（α−オレフィン）、ポリアルキレングリコール、ポリオールエステル及び／又はポリビニルエーテルを使用することができる。
【０１２４】
一実施態様によれば、潤滑剤はポリオールエステルベースである。特に、潤滑剤は、一又は複数のポリオールエステルを含む。
【０１２５】
一実施態様によれば、ポリオールエステルは、少なくとも一種のポリオールとカルボン酸又はカルボン酸混合物との反応により得られる。
【０１２６】
本発明の文脈において、「カルボン酸」という用語は、モノカルボン酸と、ポリカルボン酸、例えばジカルボン酸の両方を包含する。
【０１２７】
本発明の文脈において、特に言及しない限り、「ポリオール」という用語は、少なくとも２つのヒドロキシル（−ＯＨ）基を含む化合物を意味する。
【０１２８】
［ポリオールエステルＡ）］
一実施態様によれば、本発明によるポリオールエステルは、以下の一般式（Ｉ）に相当する：
Ｒ１［ＯＣ（Ｏ）Ｒ２］ｎ      （Ｉ）
（上式中、
−  Ｒ１は、少なくとも一つのヒドロキシル基で任意に置換された、及び／又は−Ｏ−、−Ｎ−及び−Ｓ−によって構成される群から選択される少なくとも１個のヘテロ原子を含む、直鎖又は分岐炭化水素ベース基であり；
−  各Ｒ２は、互いに独立して、
・  ｉ）Ｈ；
・  ｉｉ）脂肪族炭化水素ベース基；
・  ｉｉｉ）分岐炭化水素ベース基；
・  ｉｖ）８〜１４個の炭素原子を含む脂肪族炭化水素ベース基との基ｉｉ）及び／又はｉｉｉ）の混合物
によって構成される群から選択され；及び
−  ｎは少なくとも２の整数である）
【０１２９】
本発明の文脈において、「炭化水素ベース基」という用語は、炭素原子と水素原子から構成される基を意味する。
【０１３０】
一実施態様によれば、ポリオールは、以下の一般式（ＩＩ）に相当する：
Ｒ１（ＯＨ）ｎ      （ＩＩ）
（上式中、
−  Ｒ１は、少なくとも一つのヒドロキシル基、好ましくは二つのヒドロキシル基で任意に置換された、及び／又は−Ｏ−、−Ｎ−及び−Ｓ−によって構成される群から選択される少なくとも１個のヘテロ原子を含む、直鎖又は分岐炭化水素ベース基であり；
−  ｎは少なくとも２の整数である）
【０１３１】
好ましくは、Ｒ１は、４〜４０個の炭素原子、好ましくは４〜２０個の炭素原子を含む直鎖又は分岐炭化水素ベース基である。
【０１３２】
好ましくは、Ｒ１は、少なくとも１個の酸素原子を含む直鎖又は分岐炭化水素ベース基である。
【０１３３】
好ましくは、Ｒ１は、二つのヒドロキシル基で置換された、４〜１０個の炭素原子、好ましくは５個の炭素原子を含む分岐炭化水素ベース基である。
【０１３４】
好ましい実施態様によれば、ポリオールは、２〜１０のヒドロキシル基、好ましくは２〜６のヒドロキシル基を含む。
【０１３５】
本発明に係るポリオールは、一又は複数のオキシアルキレン基を含みうる；この特定の場合、それらはポリエーテルポリオールである。
【０１３６】
本発明に係るポリオールはまた一又は複数個の窒素原子を含みうる。例えば、ポリオールは、３〜６のＯＨ基を含むアルカノールアミンでありうる。好ましくは、ポリオールは、少なくとも２つ、好ましくは少なくとも３つのＯＨ基を含むアルカノールアミンである。
【０１３７】
本発明によれば、好ましいポリオールは、エチレングリコール、ジエチレングリコール、トリエチレングリコール、プロピレングリコール、ジプロピレングリコール、グリセロール、ネオペンチルグリコール、１，２−ブタンジオール、１，４−ブタンジオール、１，３−ブタンジオール、ペンタエリスリトール、ジペンタエリスリトール、トリペンタエリスリトール、トリグリセロール、トリメチロールプロパン、ソルビトール、ヘキサグリセロール、及びそれらの混合物によって構成される群から選択される。好ましくは、ポリオールはペンタエリスリトール又はジペンタエリスリトールである。
【０１３８】
本発明によれば、カルボン酸は、以下の一般式（ＩＩＩ）に相当しうる：
Ｒ２ＣＯＯＨ                  （ＩＩＩ）
（上式中、
−  Ｒ２は、
・  ｉ）Ｈ；
・  ｉｉ）脂肪族炭化水素ベース基；
・  ｉｉｉ）分岐炭化水素ベース基；
・  ｉｖ）８〜１４個の炭素原子を含む脂肪族炭化水素ベース基との基ｉｉ）及び／又はｉｉｉ）の混合物
によって構成される群から選択される）
【０１３９】
好ましくは、Ｒ２は、１〜１０個、優先的には１〜７個の炭素原子、特に１〜６個の炭素原子を含む脂肪族炭化水素ベース基である。
【０１４０】
好ましくは、Ｒ２は、４〜２０個の炭素原子、特に５〜１４個の炭素原子、優先的には６〜８個の炭素原子を含む分岐炭化水素ベース基である。
【０１４１】
好ましい実施態様によれば、分岐炭化水素ベース基は、以下の式（ＩＶ）を有する：
−Ｃ（Ｒ３）Ｒ４）（Ｒ５）      （ＩＶ）
（上式中、Ｒ３、Ｒ４、及びＲ５は、互いに独立して、アルキル基であり、そのアルキル基の少なくとも一つは、少なくとも２個の炭素原子を含む。そのような分岐アルキル基は、カルボキシル基に結合すると「ネオ基」という名で知られており、対応する酸は「ネオ酸」として知られている。好ましくは、Ｒ３及びＲ４はメチル基であり、Ｒ１０は少なくとも２個の炭素原子を含むアルキル基である。
【０１４２】
本発明によれば、Ｒ２基は、−ＣＯＯＲ６などの一又は複数のカルボキシル基又はエステル基を含み得、Ｒ６は、アルキルもしくはヒドロキシアルキル基又はヒドロキシアルキルオキシアルキル基を表す。
【０１４３】
好ましくは、式（ＩＩＩ）の酸Ｒ２ＣＯＯＨはモノカルボン酸である。
【０１４４】
炭化水素ベース基が脂肪族であるカルボン酸の例は、特にギ酸、酢酸、プロピオン酸、酪酸、ペンタン酸、ヘキサン酸及びヘプタン酸である。
【０１４５】
炭化水素ベース基が分岐しているカルボン酸の例は、特に２−エチル−ｎ−酪酸、２−ヘキシルデカン酸、イソステアリン酸、２−メチルヘキサン酸、２−メチルブタン酸、３−メチルブタン酸、３，５，５−トリメチルヘキサン酸、２−エチルヘキサン酸、ネオヘプタン酸及びネオデカン酸である。
【０１４６】
式（Ｉ）のポリオールエステルの調製に使用されうる第三のタイプのカルボン酸は、８〜１４個の炭素原子を含む脂肪族炭化水素ベース基を含むカルボン酸である。例えば、デカン酸、ドデカン酸、ラウリン酸、ステアリン酸、ミリスチン酸、ベヘン酸等々を挙げることができる。ジカルボン酸の中で、マレイン酸、コハク酸、アジピン酸、セバシン酸等々を挙げることができる。
【０１４７】
好ましい実施態様によれば、式（Ｉ）のポリオールエステルを調製するために使用されるカルボン酸は、モノカルボン酸とジカルボン酸の混合物を含み、モノカルボン酸の割合が優勢である。ジカルボン酸の存在は、特に高粘度ポリオールエステルの形成をもたらす。
【０１４８】
特に、カルボン酸とポリオールとの反応による式（Ｉ）のポリオールエステルの形成のための反応は酸触媒反応である。それは、特に多量の酸を使用するか反応中に形成される水を除去することで完了されうる可逆反応である。
【０１４９】
エステル化反応は、有機酸又は無機酸、例えば硫酸、リン酸等々の存在下で実施されうる。
【０１５０】
好ましくは、反応は触媒の非存在下で実施される。
【０１５１】
カルボン酸とポリオールの量は、所望される結果に応じて混合物内で変わりうる。全てのヒドロキシル基がエステル化される特定の場合、全てのヒドロキシルと反応するために十分な量のカルボン酸が添加されなければならない。
【０１５２】
一実施態様によれば、カルボン酸の混合物の使用中、それらはポリオールと逐次的に反応しうる。
【０１５３】
好ましい実施態様によれば、カルボン酸の混合物の使用中に、ポリオールが最初にカルボン酸、典型的には最も高分子量のカルボン酸と反応し、続いて脂肪族炭化水素ベース鎖を有するカルボン酸と反応する。
【０１５４】
一実施態様によれば、エステルは、高温において酸の存在下で、反応中に形成される水を除去しながら、カルボン酸（又はその無水物又はエステル誘導体）とポリオールとの反応によって形成されうる。典型的には、反応は７５〜２００℃の温度において実施されうる。
【０１５５】
別の実施態様によれば、形成されるポリオールエステルは、全てが反応したわけではないヒドロキシル基を含みうる；この場合、それらは部分的にエステル化されたポリオールエステルである。
【０１５６】
好ましい実施態様によれば、ポリオールエステルは、アルコールペンタエリスリトールと、カルボン酸混合物（イソノナン酸、８〜１０個の炭素原子を含む脂肪族炭化水素ベース基を有する少なくとも一種の酸、及びヘプタン酸）とから得られる。好ましいポリオールエステルは、ペンタエリスリトールと、イソノナン酸７０％、８〜１０個の炭素原子を含む脂肪族炭化水素ベース基を有する少なくとも一種のカルボン酸１５％、及びヘプタン酸１５％の混合物とから得られる。例えば、ＣＰＩ Ｅｎｇｉｎｅｅｒｉｎｇ Ｓｅｒｖｉｃｅｓ社から販売されている油Ｓｏｌｅｓｔ６８を挙げることができる。
【０１５７】
好ましい実施態様によれば、ポリオールエステルは、アルコールジペンタエリスリトールとカルボン酸混合物（イソノナン酸、８〜１０個の炭素原子を含む脂肪族炭化水素ベース基を有する少なくとも一種の酸、及びヘプタン酸）とから得られる。
【０１５８】
好ましくは、本発明のポリオールエステルは、以下の一般式（Ｉ−Ａ）及び（Ｉ−Ｂ）の一つを有する：
2020521855.tif 000002
（上式中、各Ｒは、互いに独立して、
−  １〜１０個、好ましくは２〜９個、優先的には４〜９個の炭素原子、特に１〜６個の炭素原子を含む脂肪族炭化水素ベース基
−  ４〜２０個の炭素原子、特に４〜１４個の炭素原子、優先的には４〜９個の炭素原子を含む分岐炭化水素ベース基
を表す）
【０１５９】
特に、式（Ｉ−Ａ）又は式（Ｉ−Ｂ）のポリオールエステルは、異なるＲ基を含む。
【０１６０】
好ましいポリオールエステルは、Ｒが
−  ４個の炭素原子を含む脂肪族炭化水素ベース基；及び／又は
−  ６個の炭素原子を含む脂肪族炭化水素ベース基；及び／又は
−  ７個の炭素原子を含む脂肪族炭化水素ベース基；及び／又は
−  ８個の炭素原子を含む脂肪族炭化水素ベース基；及び／又は
−  ９個の炭素原子を含む脂肪族炭化水素ベース基；及び／又は
−  ４個の炭素原子を含む分岐炭化水素ベース基；及び／又は
−  ５個の炭素原子を含む分岐炭化水素ベース基；及び／又は
−  ７個の炭素原子を含む分岐炭化水素ベース基；及び／又は
−  ８個の炭素原子を含む分岐炭化水素ベース基；及び／又は
−  ９個の炭素原子を含む分岐炭化水素ベース基
から選択される式（Ｉ−Ａ）のエステルである。
【０１６１】
好ましいポリオールエステルは、Ｒが
−  ４個の炭素原子を含む脂肪族炭化水素ベース基；及び／又は
−  ６個の炭素原子を含む脂肪族炭化水素ベース基；及び／又は
−  ７個の炭素原子を含む脂肪族炭化水素ベース基；及び／又は
−  ８個の炭素原子を含む脂肪族炭化水素ベース基；及び／又は
−  ９個の炭素原子を含む脂肪族炭化水素ベース基；及び／又は
−  ４個の炭素原子を含む分岐炭化水素ベース基；及び／又は
−  ５個の炭素原子を含む分岐炭化水素ベース基；及び／又は
−  ７個の炭素原子を含む分岐炭化水素ベース基；及び／又は
−  ８個の炭素原子を含む分岐炭化水素ベース基；及び／又は
−  ９個の炭素原子を含む分岐炭化水素ベース基
から選択される式（Ｉ−Ｂ）のエステルである。
【０１６２】
［ポリオールエステルＢ）］
別の実施態様によれば、本発明のポリオールエステルは、８個以下の炭素原子を含む一又は複数の分岐カルボン酸の少なくとも一種のエステルを含む。エステルは、特に、前記分岐カルボン酸と一又は複数のポリオールとの反応により得られる。
【０１６３】
好ましくは、分岐カルボン酸は少なくとも５個の炭素原子を含む。特に、分岐カルボン酸は５〜８個の炭素原子を含み、優先的には５個の炭素原子を含む。
【０１６４】
好ましくは、上記分岐カルボン酸は９個の炭素原子を含まない。特に、前記カルボン酸は３，５，５−トリメチルヘキサン酸ではない。
【０１６５】
好ましい実施態様によれば、分岐カルボン酸は、２−メチルブタン酸、３−メチルブタン酸及びそれらの混合物から選択される。
【０１６６】
好ましい実施態様によれば、ポリオールは、ネオペンチルグリコール、グリセロール、トリメチロールプロパン、ペンタエリスリトール、ジペンタエリスリトール、トリペンタエリスリトール及びそれらの混合物によって構成される群から選択される。
【０１６７】
好ましい実施態様によれば、ポリオールエステルは、
ｉ）２−メチルブタン酸、３−メチルブタン酸及びそれらの混合物から選択されるカルボン酸と；
ｉｉ）ネオペンチルグリコール、グリセロール、トリメチロールプロパン、ペンタエリスリトール、ジペンタエリスリトール、トリペンタエリスリトール及びそれらの混合物から構成される群から選択されるポリオール
から得られる。
【０１６８】
好ましくは、ポリオールエステルは、２−メチルブタン酸とペンタエリスリトールから得られるものである。
【０１６９】
好ましくは、ポリオールエステルは、２−メチルブタン酸とジペンタエリスリトールから得られるものである。
【０１７０】
好ましくは、ポリオールエステルは、３−メチルブタン酸とペンタエリスリトールから得られるものである。
【０１７１】
好ましくは、ポリオールエステルは、３−メチルブタン酸とジペンタエリスリトールから得られるものである。
【０１７２】
好ましくは、ポリオールエステルは、２−メチルブタン酸とネオペンチルグリコールから得られるものである。
【０１７３】
［ポリオールエステルＣ）］
別の実施態様によれば、本発明に係るポリオールエステルは、
ｉ）部分的にエステル化されたポリ（ネオペンチルポリオール）組成物を形成する、以下の式（Ｖ）：
2020521855.tif 000003
（上式中、
−  各Ｒは、互いに独立して、ＣＨ３、Ｃ２Ｈ５又はＣＨ２ＯＨを表し；
−  ｐは１〜４の範囲の整数である）
を有するネオペンチルポリオールと、２〜１５個の炭素原子を含む少なくとも一種のモノカルボン酸との酸触媒の存在下での反応であって、カルボキシル基とヒドロキシル基のモル比が１：１未満である反応；及び
ｉｉ）最終のポリ（ネオペンチルポリオール）エステル組成物を形成する、工程ｉ）の結果として得られた部分的にエステル化されたポリ（ネオペンチルポリオール）組成物と、２〜１５の炭素原子を含む別のカルボン酸との反応
によって得られるポリ（ネオペンチルポリオール）エステルである。
【０１７４】
好ましくは、反応ｉ）は、１：４〜１：２の範囲のモル比で実施される。
【０１７５】
好ましくは、ネオペンチルポリオールは、以下の式（ＶＩ）：
2020521855.tif 000004
（上式中、各Ｒは、互いに独立して、ＣＨ３、Ｃ２Ｈ５又はＣＨ２ＯＨを表す）
を有する。
【０１７６】
好ましいネオペンチルポリオールは、ペンタエリスリトール、ジペンタエリスリトール、トリペンタエリスリトール、テトラエリスリトール、トリメチロールプロパン、トリメチロールエタン及びネオペンチルグリコールから選択されるものである。特に、ネオペンチルポリオールはペンタエリスリトールである。
【０１７７】
好ましくは、ただ一種のネオペンチルポリオールがＰＯＥ系潤滑剤を製造するために使用される。ある場合には、二種以上のネオペンチルポリオールが使用される。これは、市販のペンタエリスリトール製品が少量のジペンタエリスリトール、トリペンタエリスリトール及びテトラエリスリトールを含む場合に特にしかりである。
【０１７８】
好ましい実施態様によれば、上記モノカルボン酸は、５〜１１個の炭素原子、好ましくは６〜１０個の炭素原子を含む。
【０１７９】
モノカルボン酸は、特に以下の一般式（ＶＩＩ）：
Ｒ’Ｃ（Ｏ）ＯＨ      （ＶＩＩ）
（上式中、Ｒ’は、直鎖又は分岐Ｃ１−Ｃ１２アルキル基、Ｃ６−Ｃ１２アリール基又はＣ６−Ｃ３０アラルキル基である）を有する。好ましくは、Ｒ’は、Ｃ４−Ｃ１０、優先的にはＣ５−Ｃ９アルキル基である。
【０１８０】
特に、モノカルボン酸は、ブタン酸、ペンタン酸、ヘキサン酸、ヘプタン酸、ｎ−オクタン酸、ｎ−ノナン酸、ｎ−デカン酸、３−メチルブタン酸、２−メチルブタン酸、２，４−ジメチルペンタン酸、２−エチルヘキサン酸、３，３，５−トリメチルヘキサン酸、安息香酸及びそれらの混合物によって構成される群から選択される。
【０１８１】
好ましい実施態様によれば、モノカルボン酸は、ｎ−ヘプタン酸又はｎ−ヘプタン酸と他の直鎖モノカルボン酸、特にｎ−オクタン酸及び／又はｎ−デカン酸との混合物である。そのようなモノカルボン酸混合物は、１５ｍｏｌ％〜１００ｍｏｌ％のヘプタン酸と８５ｍｏｌ％〜０ｍｏｌ％の他のモノカルボン酸とを含みうる。特に、混合物は、７５ｍｏｌ％〜１００ｍｏｌ％のヘプタン酸と２５ｍｏｌ％〜０ｍｏｌ％の、オクタン酸とデカン酸のモル比３：２の混合物とを含む。
【０１８２】
好ましい実施態様によれば、ポリオールエステルは、
ｉ）  ４５重量％〜５５重量％の、２〜１５個の炭素原子を含む少なくとも一種のモノカルボン酸とモノペンタエリスリトールのエステル；
ｉｉ）  １３重量％未満の、２〜１５個の炭素原子を含む少なくとも一種のモノカルボン酸とジペンタエリスリトールのエステル；
ｉｉｉ）  １０重量％未満の、２〜１５個の炭素原子を含む少なくとも一種のモノカルボン酸とトリペンタエリスリトールのエステル；及び
ｉｖ）  少なくとも２５重量％の、２〜１５の炭素原子を含む少なくとも一種のモノカルボン酸とテトラエリスリトール及び他のペンタエリスリトールのオリゴマーのエステル
を含む。
【０１８３】
［ポリオールエステルＤ）］
別の実施態様によれば、本発明に係るポリオールエステルは、以下の式（ＶＩＩＩ）：
2020521855.tif 000005
（上式中、
−  Ｒ７、Ｒ８、Ｒ９、Ｒ１０、Ｒ１１、及びＲ１２は、互いに独立して、Ｈ又はＣＨ３であり；
−  ａ、ｂ、ｃ、ｙ、ｘ、及びｚは、互いに独立して整数であり；
−  ａ＋ｘ、ｂ＋ｙ及びｃ＋ｚは、互いに独立して、１〜２０の範囲の整数であり；
−  Ｒ１３、Ｒ１４及びＲ１５は、互いに独立して、脂肪族又は分岐であるアルキル、アルケニル、シクロアルキル、アリール、アルキルアリール、アリールアルキル、アルキルシクロアルキル、シクロアルキルアルキル、アリールシクロアルキル、シクロアルキルアリール、アルキルシクロアルキルアリール、アルキルアリールシクロアルキル、アリールシクロアルキルアルキル、アリールアルキルシクロアルキル、シクロアルキルアルキルアリール及びシクロアルキルアリールアルキルによって構成される群から選択され、
Ｒ１３、Ｒ１４及びＲ１５は１〜１７個の炭素原子を含み、場合により置換されていてもよい）
を有する。
【０１８４】
好ましい実施態様によれば、Ｒ１３、Ｒ１４及びＲ１５のそれぞれは、互いに独立して、直鎖又は分岐アルキル基、アルケニル基又はシクロアルキル基を表し、前記アルキル、アルケニル又はシクロアルキル基はＮ、Ｏ、Ｓｉ、Ｆ及びＳから選択される少なくとも１個のヘテロ原子を含むことが可能である。好ましくは、Ｒ１３、Ｒ１４及びＲ１５のそれぞれは、互いに独立して、３〜８個の炭素原子、好ましくは５〜７個の炭素原子を含む。
【０１８５】
好ましくは、ａ＋ｘ、ｂ＋ｙ及びｃ＋ｚは、互いに独立して、１〜１０、優先的には２〜８、更により優先的には２〜４の範囲の整数である。
【０１８６】
好ましくは、Ｒ７、Ｒ８、Ｒ９、Ｒ１０、Ｒ１１、及びＲ１２はＨを表す。
【０１８７】
上記の式（ＶＩＩＩ）のポリオールエステルは、典型的には、国際特許出願の国際公開第２０１２／１７７７４２号の段落［００２７］〜［００３０］に記載されているようにして調製されうる。
【０１８８】
特に、式（ＶＩＩＩ）のポリオールエステルは、グリセロールアルコキシレート（国際公開第２０１２／１７７７４２号の段落［００２７］に記載）を、２〜１８個の炭素原子を含む一又は複数のモノカルボン酸でエステル化することにより得られる。
【０１８９】
好ましい実施態様によれば、モノカルボン酸は次の式の一つを有する：
Ｒ１３ＣＯＯＨ
Ｒ１４ＣＯＯＨ及び
Ｒ１５ＣＯＯＨ
（上式中、Ｒ１３、Ｒ１４及びＲ１５は上で定義された通りである）。無水物、エステル及びハロゲン化アシルなどのカルボン酸の誘導体もまた使用されうる。
【０１９０】
エステル化は、一又は複数のモノカルボン酸を用いて実施されうる。好ましいモノカルボン酸は、酢酸、プロパン酸、酪酸、イソブタン酸、ピバル酸、ペンタン酸、イソペンタン酸、ヘキサン酸、ヘプタン酸、オクタン酸、２−エチルヘキサン酸、３，３，５−トリメチルヘキサン酸、ノナン酸、デカン酸、ネオデカン酸、ウンデカン酸、ドデカン酸、トリデカン酸、ミリスチン酸、ペンタデカン酸、パルミチン酸、ステアリン酸、オレイン酸、リノール酸、パルミトレイン酸、シトロネル酸、ウンデセン酸、ラウリン酸、ウンデシレン酸、リノレン酸、アラキジン酸、ベヘン酸、テトラヒドロ安息香酸、水素化又は非水素化アビエチン酸、２−エチルヘキサン酸、フロ酸、安息香酸、４−アセチル安息香酸、ピルビン酸、４−（ｔｅｒｔ−ブチル）安息香酸、ナフテン酸、２−メチル安息香酸、サリチル酸、それらの異性体、それらのメチルエステル、及びそれらの混合物によって構成される群から選択されるものである。
【０１９１】
好ましくは、エステル化は、ペンタン酸、２−メチルブタン酸、ｎ−ヘキサン酸、ｎ−ヘプタン酸、３，３，５−トリメチルヘキサン酸、２−エチルヘキサン酸、ｎ−オクタン酸、ｎ−ノナン酸及びイソノナン酸により構成される群から選択される一又は複数のモノカルボン酸を用いて実施される。
【０１９２】
好ましくは、エステル化は、酪酸、イソ酪酸、ｎ−ペンタン酸、２−メチルブタン酸、３−メチルブタン酸、ｎ−ヘキサン酸、ｎ−ヘプタン酸、ｎ−オクタン酸、２−エチルヘキサン酸、３，３，５−トリメチルヘキサン酸、ｎ−ノナン酸、デカン酸、ウンデカン酸、ウンデシレン酸、ラウリン酸、ステアリン酸、イソステアリン酸及びそれらの混合物により構成される群から選択される一又は複数のモノカルボン酸を用いて実施される。
【０１９３】
別の実施態様によれば、本発明に係るポリオールエステルは、以下の式（ＩＸ）を有する：
2020521855.tif 000006
（上式中、
−  Ｒ１７及びＲ１８のそれぞれは、互いに独立して、Ｈ又はＣＨ３であり；
−  ｍ及びｎのそれぞれは、互いに独立して整数で、ｍ＋ｎは１〜１０の範囲の整数であり；
−  Ｒ１６及びＲ１９は、互いに独立して、脂肪族又は分岐であるアルキル、アルケニル、シクロアルキル、アリール、アルキルアリール、アリールアルキル、アルキルシクロアルキル、シクロアルキルアルキル、アリールシクロアルキル、シクロアルキルアリール、アルキルシクロアルキルアリール、アルキルアリールシクロアルキル、アリールシクロアルキルアルキル、アリールアルキルシクロアルキル、シクロアルキルアルキルアリール及びシクロアルキルアリールアルキルにより構成される群から選択され、
Ｒ１６及びＲ１９は１〜１７個の炭素原子を含み、場合により置換されていてもよい）
【０１９４】
好ましい実施態様によれば、Ｒ１６及びＲ１９のそれぞれは、互いに独立して、直鎖又は分岐アルキル基、アルケニル基又はシクロアルキル基を表し、前記アルキル、アルケニル又はシクロアルキル基はＮ、Ｏ、Ｓｉ、Ｆ及びＳから選択される少なくとも１個のヘテロ原子を含むことが可能である。好ましくは、Ｒ１６及びＲ１９のそれぞれは、互いに独立して、３〜８個の炭素原子、好ましくは５〜７個の炭素原子を含む。
【０１９５】
好ましい実施態様によれば、Ｒ１７及びＲ１８のそれぞれはＨを表し、及び／又はｍ＋ｎは、２〜８、４〜１０、２〜５又は３〜５の範囲の整数である。特に、ｍ＋ｎは値２、３、又は４を有する。
【０１９６】
好ましい実施態様によれば、上記の式（ＩＸ）のポリオールエステルは、トリエチレングリコールのジエステル又はテトラエチレングリコールのジエステルであり、特に４〜９個の炭素原子を含む一又は二のモノカルボン酸とのエステルである。
【０１９７】
上記の式（ＩＸ）のポリオールエステルは、エチレングリコール、プロピレングリコール、又はオリゴ又はポリアルキレングリコール（オリゴ又はポリエチレングリコール、オリゴ又はポリプロピレングリコール又はエチレングリコール／プロピレングリコールブロックコポリマーでありうる）の、２〜１８個の炭素原子を含む一又は二のモノカルボン酸とのエステル化によって調製されうる。エステル化は、上記の式（ＶＩＩＩ）のポリオールエステルを調製するために実施されるエステル化反応と同様に実施されうる。
【０１９８】
特に、上記の式（ＶＩＩＩ）のポリオールエステルを調製するために使用されるものと同一のモノカルボン酸を使用して、式（ＩＸ）のポリオールエステルを形成することができる。
【０１９９】
一実施態様によれば、本発明に係るポリオールエステルをベースにした潤滑剤は、２０重量％〜８０重量％、好ましくは３０重量％〜７０重量％、優先的には４０重量％〜６０重量％の式（ＶＩＩＩ）の少なくとも一種のポリオールエステルと、８０重量％〜２０重量％、好ましくは７０重量％〜３０重量％、優先的には６０重量％〜４０重量％の少なくとも一種の式（ＩＸ）のポリオールエステルを含む。
【０２００】
一般に、一部のアルコール官能基は、エステル化反応中にエステル化されない場合がある；しかし、その割合は低いままである。従って、ＰＯＥは、−ＣＨ２−Ｏ−Ｃ（＝Ｏ）−単位に対して、０相対ｍｏｌ％〜５相対ｍｏｌ％のＣＨ２ＯＨ単位を含みうる。
【０２０１】
本発明による好ましいＰＯＥ潤滑剤は、４０℃で１〜１０００センチストークス（ｃＳｔ）、好ましくは１０〜２００ｃＳｔ、更により優先的には２０〜１００ｃＳｔ、有利には３０〜８０ｃＳｔの粘度を有するものである。
【０２０２】
油の国際分類は、特にＩＳＯ３４４８−１９９２（ＮＦ Ｔ６０−１４１）規格で規定されており、それによれば、油は４０℃の温度において測定されたその平均粘度クラスによって指定される。
【０２０３】
［使用］
本発明に係る組成物は、冷蔵及び空調及び暖房、好ましくは冷蔵輸送、自動車における空調及び暖房における、伝熱流体としての使用に最も特に適している。
【０２０４】
本発明は、冷媒が漏れた場合の発火及び／又は爆発のリスクを低減するための本発明に係る組成物の使用に関する。
【０２０５】
本組成物の低い可燃性は、有利には、伝熱施設でのより多量の使用を可能にする。可燃性クラスに従う冷媒の使用は特にＩＳＯ５１４９−１規格（２０１４版）に記載されている。
【０２０６】
本発明は、蒸気圧縮回路を含む伝熱システムにおける本発明に係る組成物又は本発明に係る伝熱組成物の使用にも関する。
【０２０７】
一実施態様によれば、伝熱システムは、
−  空調システム；又は
−  冷蔵システム；又は
−  冷凍システム；又は
−  ヒートポンプシステム
である。
【０２０８】
本発明はまた本発明に係る組成物又は本発明に係る伝熱組成物を含む蒸気圧縮回路を含む伝熱設備の使用に基づく伝熱方法に関する。本伝熱方法は、流体又は物体を加熱し又は冷却する方法でありうる。
【０２０９】
本発明に係る組成物又は伝熱組成物は、特にランキンサイクルに従って、機械的仕事又は電気を発生させるための方法において使用することもできる。
【０２１０】
本発明はまた本発明に係る組成物又は本発明に係る伝熱組成物を含む蒸気圧縮回路を備えた伝熱設備に関する。
【０２１１】
一実施態様によれば、この設備は、冷蔵、暖房（ヒートポンプ）、空調及び冷凍、並びに熱機関のための移動式又は固定式設備から選択される。
【０２１２】
特に、加温される流体又は物体（一般に空気と場合によっては一又は複数の製品、物体又は生物）が、部屋又は車両の客室（移動式設備の場合）に配置されるヒートポンプ設備でありうる。好ましい実施態様によれば、それは、冷却される流体又は物体（一般に空気と場合によっては一又は複数の製品、物体又は生物）が、部屋又は車両の客室（移動式設備の場合）に配置される空調設備である。それは、冷却される流体又は物体が、空気と、部屋又は容器に配置される一又は複数の製品、物体、又は生物を一般に含む、冷蔵設備又は冷凍設備（又は極低温設備）でありうる。
【０２１３】
一実施態様によれば、伝熱設備は、その電力が５０ｋＷ以下、好ましくは３０ｋＷ以下、特に２２ｋＷ以下、更に特には１０ｋＷ以下、より具体的には２ｋＷ以下の設備である。商業的な低温における用途として、言及されうる例には、冷蔵陳列棚、冷蔵室、製氷機などが含まれる；暖房における用途として、言及されうる例には、ヒートポンプ、空気／空気ヒートポンプ、空気／水ヒートポンプ、熱力学的温水器などが含まれる；住宅の空調における用途として、言及されうる例には、モノスプリット型設備、マルチスプリット型設備、セントラル空気分配設備、可変冷媒量設備などが含まれる；移動式空調の用途として、言及されうる例として、ヒートポンプ及び自動車空調が含まれる。
【０２１４】
本発明の主題は、また、伝熱流体又は伝熱組成物を含む蒸気圧縮回路によって流体又は物体を加熱し又は冷却する方法であって、伝熱流体又は組成物の蒸発と、伝熱流体又は組成物の圧縮と、伝熱流体又は組成物の凝縮と、伝熱流体又は組成物の膨張とを逐次的に含み、伝熱流体が本発明に係る組成物であるか、又は伝熱組成物が上に記載されたものである方法である。
【０２１５】
本発明の主題は、また、熱機関によって電気を発生させる方法であって、伝熱流体又は伝熱組成物の蒸発と、発電を可能にするタービンにおける伝熱流体又は組成物の膨張と、伝熱流体又は組成物の凝縮と、伝熱流体又は組成物の圧縮とを逐次的に含み、伝熱流体が本発明に係る組成物であり、伝熱組成物が上に記載されたものである方法である。
【０２１６】
本発明に係る伝熱流体又は組成物を含む蒸気圧縮回路は、少なくとも一の蒸発器、一の圧縮機、好ましくは容積式ピストン圧縮機、一の凝縮器及び一の膨張弁、並びに伝熱流体又は組成物をこれらの要素間で輸送するためのラインを備える。蒸発器と凝縮器は、伝熱流体又は組成物と別の流体又は物体との間の熱交換を可能にする熱交換器を備える。好ましくは、熱交換器は空気／冷媒交換器である。
【０２１７】
本発明の文脈で使用される蒸発器は、乾式膨張蒸発器又は浸水式蒸発器でありうる。乾式膨張蒸発器では、上記の伝熱流体又は組成物の全てが蒸発器の出口で蒸発し、蒸気相が過熱される。
【０２１８】
浸水式蒸発器では、伝熱流体／液体状の組成物は完全には蒸発しない。浸水式蒸発器は、液相と気相の分離器を備える。
【０２１９】
圧縮機として、単段又は多段の遠心圧縮機、又は小型遠心圧縮機が特に使用されうる。ロータリー、レシプロ、又はスクリュー圧縮機もまた使用されうる。
【０２２０】
別の実施態様によれば、蒸気圧縮回路は、スクリュー圧縮機、好ましくは二軸スクリュー又は一軸スクリュー圧縮機を備える。特に、蒸気圧縮回路は、例えば最大６．３リットル／秒までのかなりの量の油流を用いることができる二軸スクリュー圧縮機を備える。
【０２２１】
遠心圧縮機は、回転要素を使用して伝熱流体又は組成物を半径方向に加速することを特徴とする；それは、典型的には、チャンバーに収容される少なくとも一のローターと一のディフューザーを備える。伝熱流体又は伝熱組成物は、ローターの中心に導入され、加速を受けながらローターの周辺に向かって循環する。従って、一方では静圧がローターにおいて増加し、とりわけ他方ではディフューザーにおいて、速度が静圧の増加に変換される。各ローター／ディフューザーアセンブリが圧縮機の一段を構成する。遠心圧縮機は、所望される最終圧と処理される流体の体積に応じて、１〜１２段を含みうる。圧縮の程度は、出口における伝熱流体／組成物の絶対圧と、入口における前記流体又は前記組成物の絶対圧との比として定義される。大型遠心圧縮機の回転速度は、毎分３０００〜７０００回転の範囲である。小型遠心圧縮機（又はミニ遠心圧縮機）は一般に毎分４００００〜７００００回転の範囲の回転速度で運転され、小型ローター（一般に０．１５ｍ未満）を備えている。（単段ローターと比較して）圧縮機の効率を改善し、エネルギーコストを制限するために多段ローターを使用することができる。２段システムの場合、ローターの第一段の出口が第二ローターの入口に供給される。２つのローターを単一軸に取り付けることができる。各段は、約４対１の流体の圧縮比を提供でき、つまり、絶対出口圧が、絶対吸引圧の約４倍に等しくできる。特に自動車用途向けの二段遠心圧縮機の例は、米国特許第５０６５９９０号及び米国特許第５３６３６７４号の文献に記載されている。
【０２２２】
遠心圧縮機は、電気モーター又はガスタービン（例えば、移動用途では、車両の排気ガスが供給される）によって又は歯車装置によって駆動されうる。
【０２２３】
本設備は、発電するために膨張弁とタービンとのカップリングを含みうる（ランキンサイクル）。
【０２２４】
本設備はまた伝熱流体又は伝熱組成物の回路と加熱又は冷却される流体又は物体との間で熱を（状態変化を伴う又は伴わずに）伝達するために使用される少なくとも一の熱交換流体回路を場合によっては備えていてもよい。
【０２２５】
本設備はまた場合によっては同一又は異なる伝熱流体／組成物を含む二つ（又はそれ以上）の蒸気圧縮回路を備えていてもよい。例えば、蒸気圧縮回路は互いに連結されてもよい。
【０２２６】
蒸気圧縮回路は、蒸気圧縮の一般的サイクルに従って運転される。サイクルは、液相（又は液体／蒸気二重相）から比較的低い圧力の蒸気相への伝熱流体／組成物の状態変化と、続く比較的高い圧力までの蒸気相内の流体／組成物の圧縮、蒸気相から比較的高い圧力の液相への伝熱流体／組成物の状態変化（凝縮）、及びサイクルを再開するための圧力の低下を含む。
【０２２７】
冷却プロセスの場合、（直接的又は熱交換流体を介して間接的に）冷却されている流体又は物体から生じる熱は、伝熱流体／組成物の蒸発中に伝熱流体／組成物によって吸収され、これが周囲に対して比較的低い温度で実施される。冷却プロセスには、空調プロセス（例えば車両などの移動式設備又は固定式設備）、冷蔵プロセス及び冷凍プロセスもしくは極低温プロセスが含まれる。空調の分野では、家庭用、商業用、又は産業用の空調を挙げることができ、使用される装置の品目は、冷却器又は装置の直接膨張品目の何れかである。冷蔵の分野では、家庭用又は商業用の冷蔵、低温室、食品産業又は冷蔵輸送（トラック、船、コンテナ）を挙げることができる。
【０２２８】
暖房プロセスの場合、熱は、伝熱流体／組成物の凝縮中に、伝熱流体／組成物から、加熱されている流体又は物体に（直接的又は熱交換流体を介して間接的に）伝達され、これが周囲に対して比較的高い温度で実施される。伝熱を実施するための設備は、この場合、「ヒートポンプ」として知られている。それらは特に中温及び高温ヒートポンプでありうる。
【０２２９】
本発明に係る組成物又は本発明に係る伝熱組成物の実施には、任意の型式の熱交換器、特に並流熱交換器又は好ましくは向流熱交換器を使用することができる。空気／冷媒型式の交換器もまた使用でき、更に好ましい。
【０２３０】
本発明によれば、「向流熱交換器」という用語は、第一の流体と第二の流体との間で熱が交換される熱交換器を意味し、交換器の入口の第一の流体が交換器の出口の第二の流体と熱交換し、交換器の出口の第一の流体が熱交換器の入口の第二の流体と熱交換する。
【０２３１】
例えば、向流熱交換器は、第一の流体の流れと第二の流体の流れが反対方向又は実質的に反対方向である装置を含む。向流特性を有するクロス流モードで操作される交換器もまた本特許出願の意味の向流熱交換器に含まれる。
【０２３２】
しかしながら、好ましい実施態様によれば、本発明は、凝縮器又は蒸発器の何れかにおいて、空気／冷媒熱交換器を備える、冷却及び暖房プロセスと、対応する設備を提供する。これは、上で定義された本発明に係る組成物又は伝熱組成物がこれらの熱交換器で特に効果的であるためである。
【０２３３】
「低温冷蔵」プロセスでは、蒸発器における本発明に係る組成物又は伝熱組成物の入口温度は、好ましくは−４５℃〜−１５℃、特に−４０℃〜−２０℃、より特に好ましくは−３５℃〜−２５℃、例えば約−３０℃又は−２０℃であり；凝縮器における本発明に係る組成物又は伝熱組成物の凝縮開始温度は、好ましくは２５℃〜８０℃、特に３０℃〜６０℃、より特に好ましくは３５℃〜５５℃、例えば約４０℃である。
【０２３４】
「中温冷却」プロセスでは、蒸発器における本発明に係る組成物又は伝熱組成物の入口温度は、好ましくは−２０℃〜１０℃、特に−１５℃〜５℃、より特に好ましくは−１０℃〜０℃、例えば約−５℃であり；凝縮器における本発明に係る組成物又は伝熱組成物の凝縮開始温度は、好ましくは２５℃〜８０℃、特に３０℃〜６０℃、より特に好ましくは３５℃〜５５℃、例えば約５０℃である。これらのプロセスは、冷蔵プロセス又は空調プロセスでありうる。
【０２３５】
「中温暖房」プロセスでは、蒸発器における本発明に係る組成物又は伝熱組成物の入口温度は、好ましくは−２０℃〜１０℃、特に−１５℃〜５℃、より特に好ましくは−１０℃〜０℃、例えば約−５℃であり；凝縮器における本発明に係る組成物又は伝熱組成物の凝縮開始温度は、好ましくは２５℃〜８０℃、特に３０℃〜６０℃、より特に好ましくは３５℃〜５５℃、例えば約５０℃である。
【０２３６】
本発明に係る組成物は、様々な伝熱用途における様々な伝熱流体を取り換えるために使用されうる。例えば、本発明に係る組成物を使用して、Ｒ４０４Ａ、Ｒ４５２Ａ、Ｒ４４９Ａ、Ｒ４４９Ｃ、Ｒ４４８Ａ、Ｒ２２、Ｒ１３４ａ、Ｒ１５２ａ、Ｒ４２２、Ｒ５０２、Ｒ４０７Ａ、Ｒ４０７Ｆ、Ｒ４０７Ｃ、Ｒ１２３４ｙｆ又はＲ１２３４ｚｅを置き換えることができる。
【０２３７】
幾つかの実施態様において、本発明は、通常の伝熱流体と比較して、特にＲ４０４Ａと比較して、同等か又は改善されたエネルギー性能品質を有する組成物を提供する。
【０２３８】
幾つかの実施態様によれば、Ｒ４０４Ａの取り換えは、伝熱設備又はその操作パラメータを変更することなく有利に実施されうる。特に、Ｒ４０４Ａの取り換えは、圧縮機の技術を変更することなく実施されうる。
【０２３９】
それに応じて、本発明に係る組成物は、Ｒ４０４Ａが一般に使用される全ての用途に特に適している。従って、本発明の組成物は、冷蔵輸送用途、特に冷蔵コンテナ、自動車空調又は自動車暖房に特に適している。
【０２４０】
上に記載した全ての実施態様は互いに組み合わせることができる。特に、上記の使用は、本発明の全ての好ましい組成物又は非好適組成物に適用されうる。
【０２４１】
本発明の文脈において、「ｘとｙの間」又は「ｘ〜ｙ」という用語は、限界ｘ及びｙが含まれる間隔を意味する。 例えば、「１％〜２％」の範囲には、特に１％と２％の値が含まれる。
【国際調査報告】
2020521855.tif 000007
2020521855.tif 000008
2020521855.tif 000009
2020521855.tif 000010